(57)【特許請求の範囲】
【請求項１】
周波数間セル測定のための方法であって、
ネットワーク側装置によって送出された周波数間バンドについての情報を収容する測定コマンドを端末によって受け取る工程と、
周波数間セル測定を、予め設定された第３の測定時間パラメータに基づいて、第１の期間内に行う工程と、
周波数間セル測定を、予め設定された第４の測定時間パラメータに基づいて、第２の期間内に行い、又は周波数間セル測定を停止する工程であって、前記第１の期間及び前記第２の期間が交互に連続時間を形成し、前記第３の測定時間パラメータは、第３のギャップ持続時間、第３のギャップ反復サイクル、及び第３の最小利用可能測定時間を含み、前記第４の測定時間パラメータは、第４のギャップ持続時間、第４のギャップ反復サイクル、及び第４の最小利用可能測定時間を含み、前記第３のギャップ持続時間は前記第４のギャップ持続時間よりも長く、かつ／又は、前記第３のギャップ反復サイクルは前記第４のギャップ反復サイクルよりも短く、かつ／又は、前記第３の最小利用可能測定時間は、前記第４の最小利用可能測定時間よりも長い工程と
を含み、
前記周波数間セル測定を、予め設定された第３の測定時間パラメータに基づいて、第１の期間内に行う工程は、
第１のタイマ及び第３のタイマそれぞれを起動させ、周波数間セル測定を前記予め設定された第３の測定時間パラメータに基づいて行う工程であって、前記第１のタイマが前記第１の期間を提供し、前記第３のタイマが前記第１の期間及び前記第２の期間を提供する工程を含み、
前記周波数間セル測定を、予め設定された第４の測定時間パラメータに基づいて、第２の期間内に行い、又は周波数間セル測定を停止する工程は、
前記第１のタイマが満了すると、前記予め設定された第４の測定時間パラメータに基づいて周波数間セル測定を行い又は周波数間セル測定を停止する工程と、
前記第３のタイマが満了すると、第１のタイマ及び第３のタイマそれぞれを起動させる工程に戻り、前記予め設定された第３の測定時間パラメータに基づいて周波数間セル測定を実行し続ける工程と
を含む方法。
【請求項２】
前記第１の期間及び前記第２の期間は特に、前記ネットワーク側装置によって提供される、請求項１記載の方法。
【請求項３】
周波数間セル測定のための装置であって、
ネットワーク側装置によって送出された周波数間バンドについての情報を収容する測定コマンドを受信するよう構成される受信モジュールと、
周波数間セル測定を、予め設定された第３の測定時間パラメータに基づいて、第１の期間内に行うよう構成される第３の測定モジュールと、
周波数間セル測定を、予め設定された第４の測定時間パラメータに基づいて、第２の期間内に行い、又は周波数間セル測定を停止するよう構成される第４の測定モジュールであって、前記第１の期間及び前記第２の期間が交互に連続時間を形成し、前記第３の測定時間パラメータは、第３のギャップ持続時間、第３のギャップ反復サイクル、及び第３の最小利用可能測定時間を含み、前記第４の測定時間パラメータは、第４のギャップ持続時間、第４のギャップ反復サイクル、及び第４の最小利用可能測定時間を含み、前記第３のギャップ持続時間は前記第４のギャップ持続時間よりも長く、かつ／又は、前記第３のギャップ反復サイクルは前記第４のギャップ反復サイクルよりも短く、かつ／又は、前記第３の最小利用可能測定時間は、前記第４の最小利用可能測定時間よりも長い、第４の測定モジュールと
を含み、
第１のタイミング・モジュールは、第１の期間を提供し、前記第１の期間が終了すると、前記第４の測定モジュールが起動することをトリガするよう構成され、
第３のタイミング・モジュールは、第１の期間及び第２の期間を提供し、前記第２の期間が終了すると、前記第３の測定モジュール、前記第１のタイミング・モジュール及び前記第３のタイミング・モジュール自体が起動することをトリガするよう構成される装置。
【請求項４】
前記第１の期間及び前記第２の期間は特に、前記ネットワーク側装置によって提供される、請求項３記載の装置。
【発明の詳細な説明】
【技術分野】
【０００１】
（関連出願への相互参照）
本出願は、その全体を参照により、本明細書及び特許請求の範囲に援用する、「周波数間セル測定のための方法、装置、及びシステム」と題する、２０１２年１月１９日付けで出願された、中国特許出願第２０１２１００１８１５３．Ｘに対する優先権を主張する。
【０００２】
（技術分野）
本発明は、無線通信の技術分野に関し、特に、周波数間セル測定のための方法、装置、及びシステムに関する。
【背景技術】
【０００３】
通信技術の急速な発展により、通信ネットワークの将来の発展傾向は、種々の無線通信ネットワークが共存し、発展し、よって、異種ネットワーク展開が無線ネットワークに徐々に導入されるということである。
【０００４】
異種ネットワーク展開では、ネットワーク・カバレッジは、マクロセル、小規模セル、及びマイクロセルなどの、種々のサイズ及びタイプのセルによって形成される。マクロセルは、大きく、連続するカバレッジ・エリアを有し、シームレスなカバレッジがマクロセル間で形成される。マクロセルのカバレッジ内では、小型基地局、ホーム基地局、中継局、及び無線ローカル・エリア・ネットワーク・アクセス・ポイントなどのいくつかの低電力ノードが通常、展開される。これらの低電力ノードは、小さな無線カバレッジ・エリアを有するので、小規模セルとして表される。すなわち、マクロセルのカバレッジは複数の小規模セルのカバレッジを含み、異種ネットワーク展開では、小規模セルはマクロセル内に分散している。異種ネットワーク展開の構造により、ネットワーク・トラフィック量は大きい。例えば、トラフィックが大きく、マクロセルが、大きいネットワーク負荷下にある場合、対応する小規模セルに端末を切り換えることにより、ネットワーク・サービスを分散させ、それにより、ネットワーク容量を増加させることが可能である。
【０００５】
異種ネットワーク展開では、キャリアの種々の要求に応じて、マクロセル及び小規模セルを別々の周波数に設定することが可能であり、小規模セルは、マクロセルの周波数間セルである。そうした周波数間展開では、マクロセルのネットワーク側装置は、一バンドにおける周波数間セルに端末を切り換える必要がある場合、周波数間セル測定を行うよう端末をトリガする必要があり、端末は、周波数間セルの信号が特定の測定イベントを満たすと判定する場合、周波数間セルをネットワーク側装置に通知し、それにより、ネットワーク側装置がセル・ハンドオーバを行うことが簡単になる。
【０００６】
端末が周波数間セル測定を行う場合、データもシグナリングも端末とネットワーク側装置との間で伝送されず、測定処理は通常、長い間かかる。したがって、通常の通信サービスに対する影響を阻止するために、端末は通常、間欠測定のやり方（すなわち、セル信号が、測定ギャップ期間内にのみ測定され、通常の通信をギャップ期間外で行うことが可能なギャップ・モード測定のやり方）で測定される周波数間セル測定を行う。ネットワーク側装置及び端末も、時間同期化を確実にするために、ギャップ・モードに基づいて、動作する必要がある。
【０００７】
周波数間セル測定の既存の手法では、ネットワーク側装置が、ギャップ持続時間、ギャップ反復サイクル、最小利用可能測定時間等を含む、ギャップ・モードの関連する測定時間パラメータを求める。測定ギャップ・モードの関連する測定時間パラメータは、通常、固定数値である。例えば、ギャップ持続時間が６ｍｓであり、ギャップ反復サイクルが４０ｍｓであり、特定の時間内の最小利用可能測定時間が６０ｍｓ以上である等である。次に、ネットワーク側装置は、端子がバンドにおいて周波数間セルの測定を行う旨を要求し、ギャップ・モードの関連した測定時間パラメータを端末に送出する。端末は次いで、測定ギャップ期間内にのみ、ギャップ・モードの関連した測定時間パラメータの時間規定に基づいて、セルの測定を行って、周波数間セルの信号が測定イベントを満たすか否かを監視し、測定イベントを満たす周波数間セルをネットワーク側装置に通知する。
【発明の概要】
【発明が解決しようとする課題】
【０００８】
しかし、端末が周波数間セル測定を行うのは連続的な処理であり、ネットワーク側装置から測定終結指示を受け取ると、処理は停止する。本発明の実現中に、本発明者は、従来技術が少なくとも、以下の課題を有していることを見出している。すなわち、異種ネットワーク展開では、周波数間セルの展開位置関係、及びセルが配置された別々のバンドの関係が理由で、汎用ギャップ・モード測定パラメータに基づいて測定が行われた場合、測定イベントを満たす周波数セルは何れも、測定することができず、端末は、測定終結指示を受け取ることなく、測定を連続的に行い得、これにより、測定時間の浪費がもたらされ、よって、端末の電力消費が増加する。
【課題を解決するための手段】
【０００９】
これに鑑み、本発明は、周波数間セル測定のための方法、装置、及びシステムを提供し、これは、周波数間セル測定を行う端末の電力消費における浪費という技術的な課題を解決する。
【００１０】
前述の目的を達成するために、本発明は、以下の技術的解決策を提供する。
【００１１】
本発明の局面によれば、
ネットワーク側装置によって送出された周波数間バンドについての情報を収容する測定コマンドを端末によって受け取る工程と、
現在の位置の特定の範囲内に候補セルが存在しているか否かを検出する工程と、
肯定の場合、周波数間セル測定を、予め設定された第１の測定時間パラメータに基づいて行う工程と、
否定の場合、周波数間セル測定を、予め設定された第２の測定時間パラメータに基づいて行う工程であって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第１のギャップ反復サイクルは第２のギャップ反復サイクルよりも短く、かつ／又は、第１の最小利用可能測定時間は、第２の最小利用可能測定時間よりも長い工程と
を含む、周波数間セル測定のための方法が提供される。
【００１２】
本発明の別の局面によれば、
サービング・セルの信号の品質又は強度が、第２の予め設定された値よりも低いか否かを検出する工程であって、第２の予め設定された値が測定コマンド内に収容されているか、又は端末に予め記憶されている工程と、
肯定の場合、周波数間セル測定を、予め設定された第１の測定時間パラメータに基づいて行う工程と、
否定の場合、周波数間セル測定を、予め設定された第２の測定時間パラメータに基づいて行う工程であって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第１のギャップ反復サイクルは第２のギャップ反復サイクルよりも短く、かつ／又は、第１の最小利用可能測定時間は、第２の最小利用可能測定時間よりも長い工程と
を含む、周波数間セル測定のための方法が提供される。
【００１３】
本発明の更に別の局面によれば、
ネットワーク側装置によって送出された周波数間バンドについての情報を収容する測定コマンドを受け取る工程と、
周波数間セル測定を、予め設定された第３の測定時間パラメータに基づいて、第１の期間内に行う工程と、
周波数間セル測定を、予め設定された第４の測定時間パラメータに基づいて、第２の期間内に行い、又は周波数間セル測定を停止する工程であって、第１の期間及び第２の期間が交互に連続時間を形成し、第３の測定時間パラメータは第４の測定時間パラメータと異なる工程と
を含む、周波数間セル測定のための方法が提供される。
【００１４】
本発明の更に別の局面によれば、
ネットワーク側装置によって送出された周波数間バンドについての情報を収容する測定コマンドを端末によって受け取る工程と、
測定時間パラメータと、周波数間バンドについての情報との間の予め保存されたマッピングに応じて、周波数間バンドについての情報に対応する目標測定時間パラメータをサーチする工程と、
周波数間セル測定を目標測定時間パラメータに基づいて行う工程と
を含む、周波数間セル測定のための方法が提供される。
【００１５】
本発明の更に別の局面によれば、
周波数間バンドについての情報を収容する測定コマンドを端末に、ネットワーク側装置によって送出する工程と、
候補セルが現在の位置の特定の範囲内に存在しているか否かを、測定コマンドを受け取った後に端末によって検出する工程と、
肯定の場合、周波数間セル測定を、予め設定された第１の測定時間パラメータに基づいて行う工程と、
否定の場合、周波数間セル測定を、予め設定された第２の測定時間パラメータに基づいて行う工程であって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第１のギャップ反復サイクルは第２のギャップ反復サイクルよりも短く、かつ／又は、第１の最小利用可能測定時間は、第２の最小利用可能測定時間よりも長い工程と
を含む、周波数間セル測定のための方法が提供される。
【００１６】
本発明の更に別の局面によれば、
周波数間バンドについての情報を収容する測定コマンドを端末に、ネットワーク側装置によって送出する工程と、
サービング・セルの信号品質又は強度が、第２の予め設定された値よりも低いか否かを、測定コマンドを受け取った後に端末によって検出する工程であって、第２の予め設定された値が測定コマンド内に収容されているか、又は端末に予め記憶されている工程と、
肯定の場合、周波数間セル測定を、予め設定された第１の測定時間パラメータに基づいて行う工程と、
否定の場合、周波数間セル測定を、予め設定された第２の測定時間パラメータに基づいて行う工程であって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第１のギャップ反復サイクルは第２のギャップ反復サイクルよりも短く、かつ／又は、第１の最小利用可能測定時間は、第２の最小利用可能測定時間よりも長い工程と
を含む、周波数間セル測定のための方法が提供される。
【００１７】
本発明の更に別の局面によれば、
周波数間バンドについての情報を収容する測定コマンドを端末に、ネットワーク側装置によって送出する工程と、
周波数間セル測定を、予め設定された第３の測定時間パラメータに基づいて、第１の期間内に、測定コマンドを受け取った後、端末によって行う工程と、
周波数間セル測定を、予め設定された第４の測定時間パラメータに基づいて、第２の期間内に行い、又は周波数間セル測定を停止する工程であって、第１の期間及び第２の期間が交互に連続時間を形成し、第３の測定時間パラメータは第４の測定時間パラメータと異なる工程と
を含む、周波数間セル測定のための方法が提供される。
【００１８】
本発明の更に別の局面によれば、
周波数間バンドについての情報を収容する測定コマンドを端末に、ネットワーク側装置によって送出する工程と、
測定時間パラメータと、周波数間バンドについての情報との間の予め保存されたマッピングに応じて、周波数間バンドについての情報に対応する目標測定時間パラメータを、測定コマンドを受け取った後に端末によってサーチする工程と、
周波数間セル測定を目標測定時間パラメータに基づいて端末によって行う工程と
を含む、周波数間セル測定のための方法が提供される。
【００１９】
本発明の更に別の局面によれば、
測定時間パラメータと、周波数間バンドについての情報との間の予め保存されたマッピングに応じて、周波数間バンドについての情報に対応する目標測定時間パラメータをネットワーク側装置によってサーチする工程と、
周波数間バンドについての情報、及びその対応する目標測定時間パラメータを収容する測定コマンドを端末に、ネットワーク側装置によって送出する工程と、
周波数間セル測定を目標測定時間パラメータに基づいて、測定コマンドを受け取った後に端末によって行う工程と
を含む、周波数間セル測定のための方法が提供される。
【００２０】
本発明の更に別の局面によれば、
ネットワーク側装置によって送出された周波数間バンドについての情報、及びその対応する目標測定時間パラメータを収容する測定コマンドを端末によって受け取る工程であって、測定時間パラメータと、周波数間バンドについての情報との間の予め保存されたマッピングに応じて周波数間バンドについての情報に対応する目標測定時間パラメータをネットワーク側装置が求めた後に測定コマンドが送出される工程と、
周波数間セル測定を目標測定時間パラメータに基づいて行う工程と
を含む、周波数間セル測定のための方法が提供される。
【００２１】
本発明の更に別の局面によれば、
ネットワーク側装置によって送出された周波数間バンドについての情報を収容する測定コマンドを受け取るよう構成された受け取りモジュールと、
現在の位置の特定の範囲内に候補セルが存在しているか否かを検出するよう構成された第１の検出モジュールと、
検出モジュールの検出結果が肯定の場合、周波数間セル測定を、予め設定された第１の測定時間パラメータに基づいて行うよう構成された第１の測定モジュールと、
検出モジュールの検出結果が否定の場合、周波数間セル測定を、予め設定された第２の測定時間パラメータに基づいて行うよう構成された第２の測定モジュールであって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第２のギャップ反復サイクルは第２のギャップ反復サイクルよりも短く、かつ／又は、第１の最小利用可能測定時間は、第２の最小利用可能測定時間よりも長い第２の測定モジュールと
を備える、周波数間セル測定のための装置が提供される。
【００２２】
本発明の更に別の局面によれば、
ネットワーク側装置によって送出された周波数間バンドについての情報を収容する測定コマンドを受け取るよう構成された受け取りモジュールと、
サービング・セルの信号品質又は強度が第２の予め設定された値よりも低いか否かを検出するよう構成された第２の検出モジュールであって、第２の予め設定された値が測定コマンド内に収容されており、又は予め記憶されている第２の検出モジュールと、
第２の検出モジュールの検出結果が肯定である場合、周波数間セル測定を、予め設定された第１の測定時間パラメータに基づいて行うよう構成された第１の測定モジュールと、
第２の検出モジュールの検出結果が否定の場合、周波数間セル測定を、予め設定された第２の測定時間パラメータに基づいて行うよう構成された第２の測定モジュールであって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第１のギャップ反復サイクルは第２のギャップ反復サイクルよりも短く、かつ／又は、第１の最小利用可能測定時間は、第２の最小利用可能測定時間よりも長い第２の測定モジュールと
を備える、周波数間セル測定のための装置が提供される。
【００２３】
本発明の更に別の局面によれば、
ネットワーク側装置によって送出された周波数間バンドについての情報を収容する測定コマンドを受け取るよう構成された受け取りモジュールと、
周波数間セル測定を、予め設定された第３の測定時間パラメータに基づいて第１の期間内に行うよう構成された第３の測定モジュールと、
周波数間セル測定を、予め設定された第４の測定時間パラメータに基づいて、第２の期間内に行い、又は周波数間セル測定を停止するよう構成された第４の測定モジュールであって、第１の期間及び第２の期間が交互に連続時間を形成し、第３の測定時間パラメータは第４の測定時間パラメータと異なる第４の測定モジュールと
を備える、周波数間セル測定のための装置が提供される。
【００２４】
本発明の更に別の局面によれば、
ネットワーク側装置によって送出された周波数間バンドについての情報を収容する測定コマンドを受け取るよう構成された受け取りモジュールと、
測定時間パラメータと、周波数間バンドについての情報との間の予め保存されたマッピングに応じて、周波数間バンドについての情報に対応する目標測定時間パラメータをサーチするよう構成されたサーチ・モジュールと、
周波数間セル測定を目標測定時間パラメータに基づいて行うよう構成されたセル測定モジュールと
を備える、周波数間セル測定のための装置が提供される。
【００２５】
本発明の更に別の局面によれば、
ネットワーク側装置によって送出された周波数間バンドについての情報、及びその対応する目標測定時間パラメータを収容する測定コマンドを受け取るよう構成された受け取りモジュールであって、測定時間パラメータと、周波数間バンドについての情報との間の予め保存されたマッピングに応じて周波数間バンドについての情報に対応する目標測定時間パラメータをネットワーク側装置が求めた後に測定コマンドが送出される受け取りモジュールと、
周波数間セル測定を目標測定時間パラメータに基づいて行うよう構成されたセル測定モジュールと
を備える、周波数間セル測定のための装置が提供される。
【００２６】
本発明の更に別の局面によれば、
周波数間バンドについての情報を収容する測定コマンドを端末に送出するよう構成されたネットワーク側装置と、
候補セルが現在の位置の特定の範囲内に存在しているか否かを、測定コマンドを受け取った後に検出し、肯定の場合、周波数間セル測定を、予め設定された第１の測定時間パラメータに基づいて行い、否定の場合、周波数間セル測定を、予め設定された第２の測定時間パラメータに基づいて行うようするよう構成された端末であって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第１のギャップ反復サイクルは第２のギャップ反復サイクルよりも短く、かつ／又は、第１の最小利用可能測定時間は、第２の最小利用可能測定時間よりも長い端末と
を備える、周波数間セル測定のためのシステムが提供される。
【００２７】
本発明の更に別の局面によれば、周波数間バンドについての情報を収容する測定コマンドを端末に送出するよう構成されたネットワーク側装置と、
サービング・セルの信号の品質又は強度が第２の予め設定された値よりも低いか否かを、測定コマンドを受け取った後に検出し、第２の予め設定された値は測定コマンドに収容されており、又は端末に予め記憶されており、肯定の場合、周波数間セル測定を、予め設定された第１の測定時間パラメータに基づいて行い、否定の場合、周波数間セル測定を、予め設定された第２の測定時間パラメータに基づいて行うよう構成された端末であって、第１の測定時間パラメータは、第１のギャップ持続時間、第１のギャップ反復サイクル、及び第１の最小利用可能測定時間を含み、第２の測定時間パラメータは、第２のギャップ持続時間、第２のギャップ反復サイクル、及び第２の最小利用可能測定時間を含み、第１のギャップ持続時間は第２のギャップ持続時間よりも長く、かつ／又は、第１のギャップ反復サイクルは第２のギャップ反復サイクルよりも短く、かつ／又は、第１の最小利用可能測定時間は第２の最小利用可能測定時間よりも長い端末と
を備える、周波数間セル測定のためのシステムが提供される。
【００２８】
本発明の更に別の局面によれば、
周波数間バンドについての情報を収容する測定コマンドを端末に送出するよう構成されたネットワーク側装置と、
測定コマンドを受け取った後、周波数間セル測定を、予め設定された第３の測定時間パラメータに基づいて第１の期間内に行い、周波数間セル測定を、予め設定された第４の測定時間パラメータに基づいて第２の期間内に行い、又は、周波数間セル測定を停止するよう構成された端末であって、第１の期間及び第２の期間は交互に連続時間を形成し、第３の測定時間パラメータは第４の測定時間パラメータと異なる端末と
を備える、周波数間セル測定のためのシステムが提供される。
【００２９】
本発明の更に別の局面によれば、
周波数間バンドについての情報を収容する測定コマンドを端末に送出するよう構成されたネットワーク側装置と、
測定コマンドを受け取った後、測定時間パラメータと、周波数間バンドについての情報との間の予め保存されたマッピングに応じて、周波数間バンドについての情報に対応する目標測定時間パラメータをサーチするよう構成された端末であって、端末が周波数間セル測定を目標測定時間パラメータに基づいて行う端末と
を備える、周波数間セル測定のためのシステムが提供される。
【００３０】
本発明の更に別の局面によれば、
周波数間バンドについての情報に対応する目標測定時間パラメータを、測定時間パラメータと、周波数間バンドについての情報との間の予め保存されたマッピングに応じてサーチし、周波数間バンドについての情報、及びその対応する目標測定時間パラメータを収容する測定コマンドを端末に送出するよう構成されたネットワーク側装置と、
周波数間セル測定を目標測定時間パラメータに基づいて、測定コマンドを受け取った後に行うよう構成された端末と
を備える、周波数間セル測定のためのシステムが提供される。
【００３１】
上述の技術的解決策から分かるように、従来技術と比較して、本発明は、周波数間セル測定のための方法、装置、及びシステムであって、ネットワーク側装置は、周波数間バンドについて野情報を収容する測定コマンドを端末に送出し、端末は、ネットワーク側装置の測定コマンドを受け取ると、別々の場合において、別々の測定時間パラメータにおいて規定された時間に基づき、又は周波数間バンドについての情報に対応する測定時間パラメータに基づき、周波数間セル測定を行う、周波数間セル測定のための方法、装置、及びシステムを提供する。別々の測定時間パラメータは、測定に使用される別々の時間を規定するので、測定イベントを満たす周波数間セルのみならず、端末による測定の時間も削減し、よって、端末の電力消費を削減し、端末の性能を向上させることが可能である。
【００３２】
本発明の実施例による、又は従来技術における技術的解決策を例証するために、以下では、実施例又は従来技術について説明するために必要な添付図面を簡単に紹介する。明らかに、以下の説明における添付図面は単に本発明の一部を示すに過ぎず、当業者は、創作的な労力無しで添付図面に応じて他の図面を得ることが可能である。
【図面の簡単な説明】
【００３３】
【図１】本発明の実施例１による、周波数間セル測定のための方法のフローチャートである。
【図２】本発明の実施例２による、周波数間セル測定のための方法のフローチャートである。
【図３】本発明の実施例３による、周波数間セル測定のための方法のフローチャートである。
【図４】本発明の実施例４による、周波数間セル測定のための方法のフローチャートである。
【図５】本発明の実施例５による、周波数間セル測定のための方法のフローチャートである。
【図６】本発明の実施例６による、周波数間セル測定のための方法のフローチャートである。
【図７】本発明の実施例７による、周波数間セル測定のための方法のフローチャートである。
【図８】本発明の実施例８による、周波数間セル測定のための方法のフローチャートである。
【図９】本発明の実施例９による、周波数間セル測定のための方法のフローチャートである。
【図１０】本発明の実施例１０による、周波数間セル測定のための方法のフローチャートである。
【図１１】本発明の実施例１１による、周波数間セル測定のための方法のフローチャートである。
【図１２】本発明の実施例１による、周波数間セル測定のための装置の概略構造図である。
【図１３】本発明の実施例２による、周波数間セル測定のための装置の概略構造図である。
【図１４】本発明の実施例３による、周波数間セル測定のための装置の概略構造図である。
【図１５】本発明の実施例４による、周波数間セル測定のための装置の概略構造図である。
【図１６】本発明の実施例５による、周波数間セル測定のための装置の概略構造図である。
【図１７】本発明の実施例６による、周波数間セル測定のための装置の概略構造図である。
【図１８】本発明の実施例７による、周波数間セル測定のための装置の概略構造図である。
【図１９】本発明の実施例８による、周波数間セル測定のための装置の概略構造図である。
【図２０】本発明の実施例による、周波数間セル測定のためのシステムの概略構造図である。
【発明を実施するための形態】
【００３４】
本発明の技術的な解決策について、添付図面を参照して、以下に明確に説明する。説明される実施例が、本発明の実施例の全てというよりは一部に過ぎないということは明らかである。創作的な労力なしで本発明の実施例に基づいて当業者によって得られる他の実施例は全て、本発明の保護範囲内に収まる。
【００３５】
本発明の本旨の１つには、ネットワーク側装置が、周波数間バンドについての情報を収容する測定コマンドを端末に送出し、端末は、ネットワーク側装置の測定コマンドを受け取ると、別々の測定時間パラメータに基づき、又は周波数間バンドについての情報に対応する測定時間パラメータに基づき、別々の適用事例に応じた周波数間セル測定を行い得るということが含まれ得る。したがって、その信号が測定イベントを満たす周波数間セルのみならず、端末の測定のための電気消費も削減し、よって、端末の性能を向上させることが可能である。
【実施例】
【００３６】
図１は、本発明の実施例１による、周波数間セル測定のための方法のフローチャートである。
【００３７】
工程１０１  端末は、ネットワーク側装置によって送出された周波数間バンドについての情報を収容する測定コマンドを受け取る。
【００３８】
本実施例では、端末のサービング・セルはマクロセルを表し得、マクロセルのカバレッジ内に分散している小規模セルはマクロセルのキャリア周波数と別のキャリア周波数を有する周波数間セルであり、ネットワーク側装置は、端末との間でデータ及びシグナリング伝送を行うことができ、端末のサービング・セルを制御する、基地局、中継局、基地局制御装置、及び無線ローカル・エリア・ネットワーク・アクセス・ポイントなどの機器を表し得る。
【００３９】
当然、本発明における端末のサービング・セルは小規模セルを表し得、小規模セルのカバレッジはマイクロセル（すなわち、そのキャリア周波数が小規模セルのキャリア周波数と異なる周波数間セル）を含む。
【００４０】
サービング・セルのネットワーク・トラフィック量が大きいことをネットワーク側装置が監視した場合、又は、ネットワーク・サービスを配信する対象の適切な周波数間セルを選択するために、システム容量を増加させるうえでの周波数間セルの影響を大きくする場合、ネットワーク側装置は、周波数間セル測定を行う旨を端末に指示し、測定コマンドを端末に送出する。
【００４１】
測定コマンドは周波数間バンドについての情報（例えば、測定する対象のセルの周波数）を含み、よって、端末は、バンドに配置された周波数間セルを、周波数間バンドについての情報に応じて容易に判定し、測定を行うことができる。
【００４２】
工程１０２  現在の位置の特定の範囲内に候補セルが存在しているか否かを検出する。肯定の場合、処理は工程１０３に進み、否定の場合、処理は工程１０４に進む。
【００４３】
現在の位置は、サービング・セル内の端末の現在の位置を表し、候補セルは、現在測定する必要があるバンド内の周波数間セルを含み得、端末のサービング・セルと区別される候補セルである。
【００４４】
種々の態様を、現在の位置の特定の範囲内に候補セルが存在しているか否かを検出するよう採用し得る。例えば、ネットワーク・エレメント装置が端末の位置の特定の範囲において存在しているか否かを衛星測位システムが獲得することによって判定し得、受け取られた信号の品質又は強度に応じて端末の特定の範囲内に候補セルが存在しているか否かを判定し得る。特定の実現態様は、以下の実施例において詳細に紹介する。
【００４５】
工程１０３  周波数間セル測定を、予め設定された第１の測定時間パラメータに基づいて行う。
【００４６】
測定時間パラメータは、ギャップ・モードの関連した測定時間パラメータを表し、ギャップは、端末が周波数間セル信号測定を行う場合に測定に実際に使用することが可能な期間を表す。
【００４７】
測定時間パラメータは、ギャップ持続時間（すなわち、測定の時間それぞれにおける利用可能時間）、ギャップ反復サイクル（すなわち、ギャップ間の間隔時間）、及び、最小利用可能測定時間を含み得、特定時間範囲内の実際の測定のための時間の和は、周波数間セル測定が特定の要求を満たすことができるように、端末が測定を行う実際の時間を特定の時間内に制限するような、最小利用可能測定時間よりも小さいものでない。例えば、ギャップ持続時間は６ｍｓ（ミリ秒）であり、ギャップ反復サイクルは８０ｍｓであり、４８０ｍｓ内の最小利用可能時間は３０ｍｓである。すなわち、端末は８０ｍｓ毎に１回、信号測定を行い得、測定の各回は６ｍｓを要し、最小利用可能時間は、端末が、少なくとも、測定を（３０ｍｓ／６ｍｓ＝）５回、各４８０ｍｓ内に行う旨を規定する。
【００４８】
端末は、厳密に測定時間パラメータに基づいて周波数間セル測定を行う必要があり、同時に、ネットワーク側装置は更に、ギャップにおける測定中に、端末及びネットワーク側装置がデータ及びシグナリングを交換しないことを保証するように、厳密に測定時間パラメータに基づいて動作する必要がある。
【００４９】
周波数間セルを測定する必要があるので、端末はまず、周波数間セルを判定する必要がある。特に、端末は、その受信周波数を周波数間バンドに調節し、次いで、周波数間バンドにおけるセルを見つけるためのサーチを行う。次に、端末は、それぞれの周波数間セル信号の測定を行い、周波数間セルの信号が特定の測定イベントを満たす場合、周波数間セルのセル識別子をネットワーク側装置に通知し、測定イベントは、ネットワーク側装置に通知することが可能な、セルの信号によって満たされるべき条件を表し得る。例えば、測定イベントは、信号の品質又は強度が、閾値よりも大きく、特定の時間の間、そのように保つことを表し得る。異なるネットワーク要求に応じて、測定イベントも、異なり得る。特定の測定処理は、従来技術におけるものと同じであり、よって、更なる詳細はここでは説明しない。
【００５０】
第１の測定時間パラメータに基づいた周波数間セル信号測定については、周波数間セル信号測定は、第１のギャップ持続時間、第１のギャップ反復サイクル、及び第１の最小利用可能測定時間の規定に基づいて行われる。
【００５１】
あるいは、端末が、周波数間セル測定を、第１の測定時間パラメータに基づいて行う場合、端末はまず、どの周波数間セルが存在しているかを判定するためのサーチを行う必要があり、サーチは、特定の時間を要する。したがって、端末は、サーチ時間が予め設定された時間を超えるか否かを、セル・サーチを行う場合に監視し得、端末が、予め設定された時間内に周波数間バンド上のセルを何ら見つけることができなかった場合、現在採用されている測定時間パラメータを切り換え、他の測定時間パラメータの時間規定に基づいて測定を続け得る（例えば、工程１０４における動作を行って、端末の電力消費を削減し得る）。
【００５２】
工程１０４  周波数間セル測定を、予め設定された第２の測定時間パラメータに基づいて行う。
【００５３】
上記測定時間パラメータの指示によれば、ギャップ持続時間が長い場合、あるいはギャップ反復サイクルが短い場合、あるいは最小利用可能時間が長い場合、特定の時間範囲内に端末が周波数間セル測定を行うためのタイマは長くなり、よって、端末が特定の期間内に測定イベントを満たすセルを判定する確率は増加する。しかし、端末の測定のための電気消費は同時に増加し得る。反対に、端末が周波数間セル測定を行うための時間は短くなり、端末が測定イベントを満たすセルを判定する確率は相応に削減される。しかし、端末の測定のための電気消費は削減し得る。
【００５４】
本実施例では、第１の測定時間パラメータにおける第１のギャップ持続時間は第２の測定時間パラメータにおける第２のギャップ持続時間よりも長く、かつ／あるいは、第１のギャップ反復サイクルは第２のギャップ反復サイクルよりも短く、かつ／あるいは、第１の最小利用可能測定時間は第２の最小利用可能測定時間よりも長い。すなわち、第２の測定時間パラメータに基づいた周波数間セル信号測定と比較して、第１の測定時間パラメータに基づいた周波数間セル信号測定は、特定期間内の周波数間セル測定のためのより長い実際時間を提供し、よって、測定要件を満たす周波数間セルをよりすばやく選択することが可能である。
【００５５】
候補セルが端末の位置の特定の範囲内に存在していると判定された場合、これは、周波数間バンドにおけるセルが端末の位置の周辺に存在し得ることを示し、よって端末は、第１の測定時間パラメータの時間規定に基づいて、周波数間セル信号測定の処理を開始して、測定イベントを満たす周波数間セルを更にすばやく判定する。
【００５６】
候補セルが端末の位置の特定の範囲内に存在していないと判定された場合、これは、周波数間バンドにおけるセルが端末の位置の周辺に存在し得ないことを示し、よって端末は、第２の測定時間パラメータの時間規定に基づいて、周波数間セル信号測定の処理を開始して、端末の測定の電気消費を削減し得る。
【００５７】
測定時間パラメータは、時間制限が理由で、一測定ギャップ内で測定のギャップ持続時間、ギャップ反復サイクル等を規定するので、端末は、周波数間セル全てをサーチする工程、及び測定イベントを満たす周波数間セルを測定する工程を含む測定動作全てを完了することができないことがあり得、よって、端末は、測定ギャップ期間が終了すると、現在の測定に関連した情報を保存して、前回の測定に関連した情報に応じて次の測定ギャップにおける測定を続ける。各測定ギャップ期間内に、端末は、受信周波数を周波数間バンドに調節する必要があり、次いで、測定ギャップ期間が終了すると、サービング・セルのキャリア周波数に受信周波数を戻すよう調節する。
【００５８】
別の実施例では、工程１０３において説明したように、端末は、第１の測定時間パラメータに基づいた周波数間セル測定中にセル・サーチを行う必要があり、サーチ時間が、予め設定された時間を超えた場合、これは、周波数間セルが実際に、端末の特定の範囲内に存在していないことを示し、端末は、第２の測定時間パラメータに基づいて周波数間セル測定を行い続けて、測定のための電気消費を削減し得る。
【００５９】
第１の測定時間パラメータ及び／又は第２の測定時間パラメータは、測定コマンドに収容し得る。すなわち、ネットワーク側装置は、構成された第１の測定時間パラメータ及び／又は第２の測定時間パラメータを端末に送出して、周波数間バンドにおけるセルの測定を行う旨を端末に要求する。
【００６０】
あるいは、端末は、測定時間パラメータに基づいて周波数間セル測定を行う場合に、採用される対象の測定時間パラメータの識別子、及び／又は測定時間パラメータの適用時点をネットワーク側装置にフィードバックする必要がある。測定時間パラメータの識別子は、別々の測定時間パラメータを区別するために使用され、測定時間パラメータにおいて収容される。ネットワーク側装置は、データ及びシグナリングの送出を、対応する測定時間パラメータに規定された時間に基づいて、測定時間パラメータの適用時点において、端末によって採用される対象の測定時間パラメータの適用時点、及び／又は、測定時間パラメータの識別子を受け取った後、制御する。
【００６１】
特に、ネットワーク側装置は、端末によってフィードバックされた測定時間パラメータの適用時点（すなわち、測定時間パラメータによって特定される時間に基づいてシグナリング及びデータの送出をいつ制御するか、測定時間パラメータをいつ切り換える必要があるかという切り換えの特定の時点、又は測定時間パラメータに基づいて端末が測定を行う特定の時点）に応じて判定し得る。
【００６２】
更に、ネットワーク側装置は、測定時間パラメータの識別子に対応する測定時間パラメータの適用時点を、端末とのアポイントメントについての情報に基づいて、測定時間パラメータの識別子を受け取った後に判定する。
【００６３】
第１の測定時間パラメータ及び／又は第２の測定時間パラメータは、ネットワーク側装置及び端末において更に保存し得るので、端末は、測定コマンドを受け取った後に、第１の測定時間パラメータ、及び／又は第２の測定時間パラメータに基づいて、周波数間バンドにおけるセルを測定し得る。
【００６４】
あるいは、端末は、測定時間パラメータに基づいて測定を行う場合に、採用される対象の測定時間パラメータの識別子、及び／又は測定時間パラメータの適用時点をネットワーク側装置にフィードバックする必要がある。
【００６５】
当然、第１の測定時間パラメータ及び／又は第２の測定時間パラメータは、端末によって更に構成し、保存し得るので、端末は、測定コマンドを受け取った後に、第１の測定時間パラメータ、及び／又は第２の測定時間パラメータに基づいて、周波数間セル測定を行う。周波数間セル測定中に、現在の測定情報は更に、ネットワーク側装置にフィードバックする必要がある。測定情報は、現在採用されている測定時間パラメータ（すなわち、第１の測定時間パラメータ及び第２の測定時間パラメータ）を含み得、更に、測定時間パラメータの適用時点を含み得る。したがって、ネットワーク側装置は、端末との間のデータ及びシグナリング伝送の動作を現在の測定時間パラメータに応じて制御し得る。
【００６６】
第１の測定時間パラメータ及び／又は第２の測定時間パラメータが端末内に予め記憶された場合、端末はまず、測定コマンドを受け取った後、測定識別子が測定コマンドに収容されているか否かを判定する。肯定の場合、端末は、次いで、工程１０２乃至工程１０４における動作を行い、否定の場合、通常のやり方に基づいて測定を行う。
【００６７】
本実施例では、端末はまず、ネットワーク側装置から測定コマンドを受け取った後、候補セルがその位置の周辺に存在しているか否かを判定し、存在している場合、周波数間セル信号測定を第１の測定時間パラメータに基づいて行って、測定イベントを満たす周波数間セルをよりすばやく判定し、候補セルが端末の周辺に存在していない場合、周波数間セル信号測定を第２の測定時間パラメータに基づいて行って、測定時間を削減し、端末の電力消費を低減する。候補セルが端末の位置の周辺に存在していない場合、これは、端末が、長距離だけ、周波数間セルと離れていることを示し、よって、信号測定を、電力節減が大きい第２の測定時間パラメータに基づいて行って、端末の測定の電力消費を低減し、それにより、端末の性能を向上させる。
【００６８】
図２は、本発明の実施例２による、周波数間セル測定のための方法のフローチャートである。方法は以下を含み得る。
【００６９】
工程２０１  端末は、ネットワーク側装置によって送出された周波数間バンドについての情報を収容する測定コマンドを受け取る。
【００７０】
本工程は、実施例１のものと同様であり、よって、更なる詳細はここでは説明しない。
【００７１】
工程２０２  受信周波数を周波数間バンドに調節し、周波数間バンドの共通チャネルの信号の品質又は強度を監視する。
【００７２】
測定コマンドを受信した後、端末は、間欠測定段階に入るよう準備し得る。測定時間パラメータに規定された期間に基づいて測定を行う前に、端末はまず、その受信周波数を周波数間バンドに調節して、周波数間バンドの共通チャネルの信号の品質又は強度を監視し得る。共通チャネルは、ＰＳＣＨ（一次同期化チャネル（Ｐｒｉｍａｒｙ  ｓｙｎｃｈｒｏｎｉｚａｔｉｏｎ  ｃｈａｎｎｅｌ））及び／又はＳＳＣＨ（二次同期化チャネル（Ｓｅｃｏｎｄａｒｙ  ｓｙｎｃｈｒｏｎｉｚａｔｉｏｎ  ｃｈａｎｎｅｌ））などの、周波数間バンドにおける周波数間セル全ての下りリンク共通信号伝送チャネルを表す。すなわち、端末は、一共通チャネルの信号の強度又は品質を測定し得、更に、複数の共通信号の、信号の強度又は品質を測定し得る。
【００７３】
端末は、周波数間バンドへの調整後、共通チャネルを走査する（すなわち、共通チャネルの信号を監視する）。
【００７４】
工程２０３  周波数間バンドの共通チャネルの信号の品質又は強度が第１の予め設定された値よりも高いか否かを判定する。肯定の場合、処理は工程２０４に進み、否定の場合、処理は工程２０５に進む。
【００７５】
第１の予め設定された値は、測定コマンドにおいて収容し得、又は、当然、端末において予め設定し、記憶し得る。
【００７６】
本実施例では、周波数間バンドの共通チャネルの信号の品質又は強度が第１の予め設定された値よりも高いか否かに応じて、候補セルが、端末の現在の位置の特定の範囲内に存在しているか否かが判定される。共通チャネルの信号の品質又は強度が第１の予め設定された値よりも高い場合、それは、共通チャネル上で伝送された信号が、より強いことを示し、よって、候補セルが端末の特定の範囲内に存在していると判定し得る。共通チャネルの信号の品質又は強度が第１の予め設定された値よりも低い場合、それは、共通チャネル上で伝送された信号が、より弱いことを示し、よって、候補セルが端末の特定の範囲内に存在していないと判定し得る。
【００７７】
第１の予め設定された値は実際の状態に応じて設定される。例えば、予め設定された数のセルが端末の特定範囲内に存在している場合、共通チャネルの信号の品質又は強度に応じて設定される。
【００７８】
本実施例では、候補セルが、周波数間バンドの共通チャネルの監視された信号の品質又は強度を介して、端末の特定の範囲内に存在しているか否かが判定されるため、候補セルは、周波数間バンドに配置された周波数間セルである。
【００７９】
工程２０４  周波数間バンドに配置された周波数間セルを判定するためのサーチを行い、周波数間セル信号測定を、予め設定された第１の測定時間パラメータの時間規定に基づいて行う。
【００８０】
受信周波数が周波数間バンドに調節された後、周波数間バンドに配置された周波数間セルを判定するためにサーチを行う必要がある。予め設定された第１の測定時間パラメータの周波数間セル信号測定は、測定ギャップ持続時間、ギャップ反復サイクル、及び最小利用可能測定時間の時間規定の周波数間セル信号測定である。
【００８１】
工程２０５  周波数間バンドに配置された周波数間セルを判定するためのサーチを行い、周波数間セル信号測定を、予め設定された第２の測定時間パラメータの時間規定に基づいて行う。
【００８２】
第１の測定時間パラメータにおける第１のギャップ持続時間は第２の測定時間パラメータにおける第２のギャップ持続時間よりも長く、かつ／あるいは、第１のギャップ反復サイクルは第２のギャップ反復サイクルよりも短く、かつ／あるいは、第１の最小利用可能測定時間は第２の最小利用可能測定時間よりも長い。すなわち、第２の測定時間パラメータの周波数間セル信号測定と比較して、第１の測定時間パラメータの周波数間セル信号測定は、周波数間セル測定に、より長い時間を提供し、よって、測定要件を満たす周波数間セルをよりすばやく選択することが可能である。
【００８３】
第１の測定時間パラメータ及び／又は第２の測定時間パラメータは、測定コマンドに収容されていることがあり得る。すなわち、ネットワーク側装置は、構成された第１の測定時間パラメータ及び／又は第２の測定時間パラメータを端末に送出して、周波数間バンドにおけるセル上の測定を行う旨を端末に要求する。
【００８４】
あるいは、端末は、測定時間パラメータに基づいて周波数間セル測定を行う場合に、採用される対象の測定時間パラメータの識別子、及び／又は測定時間パラメータの適用時点をネットワーク側装置にフィードバックする必要がある。測定時間パラメータの識別子は、別々の測定時間パラメータを区別するために使用され、測定時間パラメータに収容される。ネットワーク側装置は、データ及びシグナリングの送出を、対応する測定時間パラメータに規定された時間に基づいて、測定時間パラメータの適用時点において、測定時間パラメータの適用時点、及び／又は、測定時間パラメータの識別子を受け取った後、制御し得る。
【００８５】
特に、ネットワーク側装置は、測定時間パラメータによって特定される時間に基づいてシグナリング及びデータの送出をいつ制御するかを、端末によってフィードバックされた測定時間パラメータの適用時点（すなわち、測定時間パラメータを切り換える必要がある、切り換えの特定の時点、又は測定時間パラメータに基づいて端末が測定を行う特定の時点）に応じて判定し得る。
【００８６】
更に、ネットワーク側装置は、測定時間パラメータの識別子に対応する測定時間パラメータの適用時点を、端末とのアポイントメントについての情報に基づいて、測定時間パラメータの識別子を受け取った後に判定する。
【００８７】
第１の測定時間パラメータ及び／又は第２の測定時間パラメータは、ネットワーク側装置及び端末において更に保存し得るので、端末は、測定コマンドを受け取った後に、第１の測定時間パラメータ、及び／又は第２の測定時間パラメータに基づいて、周波数間バンドにおけるセルを測定し得る。
【００８８】
第１の測定時間パラメータ及び／又は第２の測定時間パラメータは更に、端末によって更に構成し、保存し得るので、端末は、測定コマンドを受け取った後に、第１の測定時間パラメータ、及び／又は第２の測定時間パラメータに基づいて、周波数間セル測定を行う。周波数間セル測定中に、現在の測定情報は更に、ネットワーク側装置にフィードバックする必要がある。測定情報は、現在採用されている測定時間パラメータ（すなわち、第１の測定時間パラメータ及び／又は第２の測定時間パラメータ）を含み得、更に、測定時間パラメータの適用時点を含み得る。したがって、ネットワーク側装置は、端末との間のデータ及びシグナリング伝送の動作を現在の測定時間パラメータに応じて制御し得る。
【００８９】
第１の測定時間パラメータ及び／又は第２の測定時間パラメータが端末によって記憶されている場合、端末はまず、測定コマンドを受け取った後、測定識別子が測定コマンドに収容されているか否かを判定する。肯定の場合、端末は次いで、工程２０２乃至工程２０５における動作を行い、否定の場合、通常のやり方に基づいて、周波数間セル測定を行い、汎用測定時間パラメータを使用することにより、周波数間セル測定を行う。
【００９０】
工程２０４及び工程２０５における動作は、別々の測定時間パラメータが採用される、工程２０３における判定結果に応じてトリガされる動作である。したがって、工程２０４における動作を行うことにより、実際の測定時間を増加させ得るので、候補セルが端末の位置の特定の範囲内に存在していると判定された場合、測定イベントを満たす周波数間セルを、よりすばやく判定することが可能である。工程２０５における動作を行うことにより、実際の測定時間が削減されるので、候補セルが端末の特定の範囲内に存在しない場合、端末は現在、測定イベントを満たす周波数間セルを何ら測定できないことがあり得る。したがって、工程２０５における動作を行うことにより、端末の電気消費を削減し、それにより、端末の電力消費を低減し得る。
【００９１】
本実施例では、端末は、周波数間バンドの共通チャネルの信号の品質又は強度が第１の予め設定された値よりも高いか否かを測定して、セルが端末の特定の範囲内に存在しているか否かを判定し、肯定の場合、第１の測定時間パラメータに規定された時間に基づいて、周波数間セル信号測定を行い、否定の場合、第２の測定時間パラメータに規定された時間に基づいて、周波数間セル信号測定を行って、測定イベントを満たす周波数間セルをよりすばやく測定し、判定し、同時に、端末による測定のための時間を削減し、同時に、端末による測定の時間を削減し、それにより、端末の電力消費を削減し、端末の性能を向上させる。
【００９２】
図３は、本発明の実施例３による、周波数間セル測定のための方法のフローチャートである。
【００９３】
工程３０１  端末は、ネットワーク側装置によって送出された周波数間バンドについての情報を収容する測定コマンドを受け取る。
【００９４】
工程３０２  受信周波数が周波数間バンドに調節された後、周波数間バンドに配置された周波数間セルを判定するためにサーチを行う。
【００９５】
本実施例と実施例２との間の差は、端末が、周波数間バンドに配置された周波数間セルをまず判定するためにサーチをまず、受信周波数が周波数間バンドに調節された後に行い得るという点にある。他の点については、実施例間で参照を行う。
【００９６】
工程３０３  周波数間バンドの共通チャネルの信号の品質又は強度を監視する。
【００９７】
工程３０４  周波数間バンドの共通チャネルの信号の品質又は強度が第１の予め設定された値よりも高いか否かを判定する。肯定の場合、処理は工程３０５に進み、否定の場合、処理は工程３０６に進む。
【００９８】
工程３０５  周波数間セル測定を、予め設定された第１の測定時間パラメータの時間規定に基づいて行う。
【００９９】
工程３０６  周波数間セル測定を、予め設定された第２の測定時間パラメータの時間規定に基づいて行う。
【０１００】
本実施例では、端末は、周波数間バンドの共通チャネルの信号の品質又は強度が第１の予め設定された値よりも高いか否かを監視して、セルが端末の特定の範囲内に存在しているか否かを判定し、肯定の場合、第１の測定時間パラメータに規定された時間に基づいて、周波数間セル信号測定を行い、否定の場合、第２の測定時間パラメータに規定された時間に基づいて、周波数間セル信号測定を行って、測定イベントを満たす周波数間セルを測定し、判定することが可能であることを保証し、同時に、端末による測定の時間を削減し、同時に、端末による測定の時間を削減し、それにより、端末の電力消費を削減し、端末の性能を向上させる。
【０１０１】
図４は、本発明の実施例４による、周波数間セル測定のための方法のフローチャートである。
【０１０２】
工程４０１  端末は、ネットワーク側装置によって送出された周波数間バンドについての情報を収容する測定コマンドを受け取る。
【０１０３】
工程４０２  衛星測位システムにより、候補セルが、現在の位置から特定の距離だけ離れた所に存在しているか否かを判定する。肯定の場合、処理は工程４０３に進み、否定の場合、処理は工程４０５に進む。
【０１０４】
本工程では、候補セルが、衛星測位システムにより、端末の現在位置との特定の距離だけ離れた所に存在しているかが判定される（すなわち、候補セルが、衛星測位システムにより、端末の周辺に存在しているか否かが判定される。）。
【０１０５】
衛星測位システムにより、候補セルが、現在の位置から特定の距離だけ離れた所に存在しているか否かが判定されることについては、具体的には、端末が、衛星測位システムにより、端末の特定の範囲内のネットワーク・エレメントの位置情報を獲得し、端末の周辺に他のネットワーク・エレメントが存在しているか否かを判定し、存在している場合、候補セルが、端末の周辺に存在していると判定する。
【０１０６】
工程４０３  受信周波数が周波数間バンドに調節された後、周波数間バンドに配置された周波数間セルを判定するためにサーチを行い、処理は工程４０４に進む。
【０１０７】
工程４０４  周波数間セル信号測定を、予め設定された第１の測定時間パラメータの時間規定に基づいて行う。
【０１０８】
工程４０５  受信周波数が周波数間バンドに調節された後、周波数間バンドに配置された周波数間セルを判定するためにサーチを行い、処理は工程４０６に進む。
【０１０９】
工程４０６  周波数間セル測定を、予め設定された第２の測定時間パラメータの時間規定に基づいて行う。
【０１１０】
本実施例では、衛星測位システムにより、端末の特定の範囲内にセルが存在しているか否かが判定され、肯定の場合、周波数間セルが判定された後、周波数間セル信号測定が、第１の測定時間パラメータに規定された時間に基づいて行われ、否定の場合、周波数間セルが判定された後、周波数間セル信号測定を、第２の測定時間パラメータに規定された時間に基づいて行って、測定イベントを満たす周波数間セルを測定し、判定することが可能であることを保証し、同時に、端末による測定のための時間を削減し、それにより、端末の電力消費を削減し、端末の性能を向上させる。
【０１１１】
図５は、本発明の実施例５による、周波数間セル測定のための方法のフローチャートである。
【０１１２】
工程５０１  端末は、ネットワーク側装置によって送出された周波数間バンドについての情報を収容する測定コマンドを受け取る。
【０１１３】
工程５０２  端末のサービング・セルの信号の品質又は強度が第２の予め設定された値よりも低いか否かを検出する。肯定の場合、処理は工程５０３に進み、否定の場合、処理は工程５０４に進む。
【０１１４】
端末のサービング・セルは例えば、端末が現在配置されているマクロセルを表し得、端末は、端末が配置されたサービング・セルの信号にリッスンし、サ―ビング・セルの信号の品質又は強度を検出し得る。
【０１１５】
第２の予め設定された値は、測定コマンドに収容し得、更に、端末に予め記憶し得る。
【０１１６】
端末のサービング・セルの信号の品質又は強度が第２の予め設定された値よりも低い場合、これは、端末の通常の通信を保証するために端末をできる限り早く、他のセルに切り換える必要があることを示す。この場合、端末は、サービング・セルの信号を好適に受信するにはサービング・セルから遠すぎることがあり得るので、測定イベントを満たす周波数間セルを判定するために、周波数間セル測定をできるだけ早く行う必要がある。
【０１１７】
端末のサービング・セルの信号の品質又は強度が第２の予め設定された値以上である場合、これは、端末のサービング・セルが更に、端末に対応し続け得、端末がサービング・セルの信号を正常に受信し得、よって、端末が、できるだけ早く、周波数間セルに切り換えなければならない訳でないことを示す。
【０１１８】
当然、考えられる別のケースでは、異種ネットワーク展開において、小規模セルがマクロセル内に設定される例を採ることにより、小規模セルは、マクロセルのカバレッジの縁部にあり得る。端末が、サービング・セルの信号の品質又は強度が第２の予め設定された値よりも低いと監視した場合、端末がサービング・セルの縁部にあるとみなされ、よって、小規模セルからの距離は短くなり、小規模セルが端末の周辺に存在していると判定し得る。端末のサービング・セルの信号の品質又は強度が第２の予め設定された値以上である場合、周波数間セルが端末の周辺に存在していないとみなされ得、小規模セルからの距離は大きくなる。
【０１１９】
第２の予め設定された値は、特に、実際の適用事例に応じて設定し得、例えば、端末がそのサービング・セルに配置され、通信を正常に行うことができる場合に端末によって受け取られた信号値に応じて設定し得る。
【０１２０】
工程５０３  周波数間セル信号測定を、予め設定された第１の測定時間パラメータの時間規定に基づいて行う。
【０１２１】
特に、受信周波数が周波数間バンドに調節された後、周波数間バンドに配置された周波数間セルを判定するためのサーチが行われ、次に、予め設定された第１の測定時間パラメータの時間規定に基づいて、周波数間セル信号測定が行われる。
【０１２２】
サービング・セルの信号の品質又は強度が第２の予め設定された値よりも低いと判定された場合、測定ギャップ期間中に、周波数間セルを判定する動作が行われ、周波数間セル信号測定が第２の測定時間パラメータの時間規定に基づいて行われる。
【０１２３】
工程５０４  周波数間セル信号測定を、予め設定された第２の測定時間パラメータの時間規定に基づいて行う。
【０１２４】
特に、受信周波数が周波数間バンドに調節された後、周波数間バンドに配置された周波数間セルを判定するためのサーチが行われ、次に、予め設定された第２の測定時間パラメータの時間規定に基づいて、周波数間セル信号測定が行われる。
【０１２５】
工程５０３における動作及び工程５０４における動作は、別々の測定時間パラメータが採用される、工程５０２における判定結果に応じてトリガされる別々の工程である。したがって、工程５０３を行うことにより、実際の測定時間を増加させ得、よって、測定イベントを満たす周波数間セルをよりすばやく判定することが可能である。工程５０４における動作を行うことにより、実際の測定時間が削減され、サービング・セルが更に、端末に対応し続け得る場合、周波数間セル測定は第２の測定時間パラメータに基づいて行い得る。したがって、端末の電気消費を削減し、それにより、端末の電力消費が低減され得る。
【０１２６】
第１の測定時間パラメータ及び／又は第２の測定時間パラメータは、測定コマンドに収容されていることがあり得る。すなわち、ネットワーク側装置は、構成された第１の測定時間パラメータ及び／又は第２の測定時間パラメータを端末に送出して、周波数間バンドにおけるセルの測定を行う旨を端末に要求する。
【０１２７】
あるいは、端末は、測定時間パラメータに基づいて周波数間セル測定を行う場合に、測定時間パラメータに収容された、測定時間パラメータの適用時点、及び／又は、採用される対象の測定時間パラメータの識別子をネットワーク側装置にフィードバックする必要がある。測定時間パラメータの識別子は、別々の測定時間パラメータを区別するために使用される。ネットワーク側装置は、データ及びシグナリングの送出を、対応する測定時間パラメータに規定された時間に基づいて、測定時間パラメータの適用時点において、測定時間パラメータの適用時点、及び／又は、測定時間パラメータの識別子を受け取った後、制御し得る。
【０１２８】
特に、ネットワーク側装置は、測定時間パラメータによって特定される時間に基づいてシグナリング及びデータの送出をいつ制御するかを、端末によってフィードバックされた測定時間パラメータの適用時点（すなわち、測定時間パラメータを切り換える必要がある切り換えの特定の時点、又は測定時間パラメータに基づいて端末が測定を行う特定の時点）に応じて判定し得る。
【０１２９】
更に、ネットワーク側装置は、測定時間パラメータの識別子に対応する測定時間パラメータの適用時点を、端末とのアポイントメントについての情報に基づいて、測定時間パラメータの識別子を受け取った後に判定する。
【０１３０】
第１の測定時間パラメータ及び／又は第２の測定時間パラメータは、ネットワーク側装置及び端末において更に保存し得るので、端末は、測定コマンドを受け取った後に、第１の測定時間パラメータ、及び／又は第２の測定時間パラメータに基づいて、周波数間バンドにおけるセルを測定し得る。
【０１３１】
あるいは、端末は、測定時間パラメータに基づいて測定を行う場合に、採用される対象の測定時間パラメータの識別子をネットワーク側装置にフィードバックする必要があり、更に、測定時間パラメータの適用時点をフィードバックする必要があり得る。
【０１３２】
当然、第１の測定時間パラメータ及び／又は第２の測定時間パラメータは更に、端末によって更に構成し、保存し得るので、端末は、測定コマンドを受け取った後に、第１の測定時間パラメータ、及び／又は第２の測定時間パラメータに基づいて、周波数間セル測定を行う。周波数間セル測定中に、現在の測定情報は更に、ネットワーク側装置にフィードバックする必要がある。測定情報は、現在採用されている測定時間パラメータ（すなわち、第１の測定時間パラメータ及び／又は第２の測定時間パラメータ）を含み得、更に、測定時間パラメータの適用時点を含み得る。したがって、ネットワーク側装置は、端末との間のデータ及びシグナリング伝送の動作を現在の測定時間パラメータに応じて制御し得る。
【０１３３】
第１の測定時間パラメータ及び／又は第２の測定時間パラメータが端末内に予め記憶されている場合、端末はまず、測定コマンドを受け取った後、測定識別子が測定コマンドに収容されているか否かを判定する。肯定の場合、端末は、次いで、工程５０２乃至工程５０４における動作を行い、否定の場合、通常のやり方に基づいて測定を行う。
【０１３４】
本実施例では、端末は、サービング・セルの信号の品質又は強度が第２の予め設定された値よりも低いか否かを監視し、肯定の場合、周波数間セル信号測定を、第１の測定時間パラメータに規定された時間に基づいて行い、否定の場合、周波数間セル信号測定を、第２の測定時間パラメータに規定された時間に基づいて行って、測定イベントを満たす周波数間セルをできるだけ早く判定し、同時に、端末の測定のための時間を削減し、それにより、端末の電力消費を削減し、端末の性能を向上させる。
【０１３５】
図６は、本発明の実施例６による、周波数間セル測定のための方法のフローチャートである。
【０１３６】
工程６０１  端末は、ネットワーク側装置によって送出された周波数間バンドについての情報を収容する測定コマンドを受け取る。
【０１３７】
本工程についての詳細については、方法の実施例における工程１０１を特に参照されたい。
【０１３８】
工程６０２  周波数間セル測定を、予め設定された第３の測定時間パラメータに基づいて、第１の期間内に行う。
【０１３９】
工程６０３  周波数間セル測定を、予め設定された第４の測定時間パラメータに基づいて、第２の期間内に行う。
【０１４０】
周波数間セル測定を行う特定の処理は、端末がまず、受信周波数を周波数間バンドに調節する必要があり、周波数間セルを判定するためのサーチを行い、次に、周波数間セル信号測定を、測定時間パラメータの時間規定に基づいて行って、信号が測定イベントを満たす周波数間セルを判定する。
【０１４１】
第１の期間及び第２の期間は、ネットワーク側装置によって供給し得る。すなわち、ネットワーク側装置は、測定コマンドを端末に送出した後、第１の期間をカウントし始め、第１の期間が終了すると、第１の調節トリガ情報を端末に送出し、同時に、第２の期間をカウントし始め、第２の期間が終了すると、第２の調節トリガ情報を端末に送出し、同時に、第１の期間のカウントを再始動する。したがって、端末は特に、測定コマンド又は第２の調節トリガ情報を受け取った後、周波数間セル測定を第１の測定時間パラメータに基づいて行う。第１の調節トリガ情報が受け取られた後には、すなわち、周波数間セル測定が第２の測定時間パラメータに基づいて行われる。
【０１４２】
当然、第１の期間及び第２の期間は端末によって制御し得、期間の特定の持続時間は予め、端末によって割り当て得、更に、ネットワーク側装置の測定コマンドに収容し得る。
【０１４３】
第１の期間及び第２の期間が端末によって制御される場合、端末はまず、測定コマンドを受け取った後、測定コマンドが測定識別子を収容しているか否かを判定し、肯定の場合、端末は次いで、工程６０２及び６０３における動作を行い、否定の場合、通常のやり方に基づいて測定を行う。
【０１４４】
本実施例では、第１の期間及び第２の期間は交互に連続時間を形成し、すなわち、端末は、周波数間セル測定を、測定ギャップ持続時間、ギャップ反復サイクル等を含む予め設定された第３の測定時間パラメータの時間規定に基づいて、第１の期間内に行い、第１の期間が終了すると、第の期間に入り、予め設定された第４の測定時間パラメータに基づいて周波数間セル測定を行い、第２の期間が終了すると、もう一度、第１の期間に入る。すなわち、第１の期間及び第２の期間が交互に連続時間を形成し、交互にくる第１の期間及び第２の期間により、端末は、別々の測定時間パラメータに規定された時間に基づいて周波数間セル測定を行うことができる。
【０１４５】
第３の測定時間パラメータ及び第４の測定時間パラメータは異なる。すなわち、第３の測定時間パラメータ及び第４の測定時間パラメータの時間規定それぞれに基づいて、周波数間セル測定が行われた場合、端末の測定のための電気消費は異なり、端末の、異なる電力消費をもたらす。交互にくる第１の期間及び第２の期間により、端末は常に、一タイプの測定時間パラメータに基づいて測定を行う訳でなく、更に、測定イベントを満たす周波数間セルを端末が測定する確率が保証され、同時に、端末の電力消費を低減し得る。
【０１４６】
第３の測定時間パラメータにおける第３のギャップ持続時間は第４の測定時間パラメータにおける第４のギャップ持続時間よりも長く、かつ／あるいは、第３のギャップ反復サイクルは第４のギャップ反復サイクルよりも長く、かつ／あるいは、第３の最小利用可能測定時間は第４の最小利用可能測定時間よりも短い。あるいは、第３のギャップ持続時間は第４のギャップ持続時間よりも長く、かつ／あるいは第３のギャップ反復サイクルは第４のギャップ反復サイクルよりも短く、かつ／あるいは第３の最小利用可能測定時間は第４の最小利用可能測定時間おりも大きい。
【０１４７】
第１の期間及び第２の期間の時間長は異なり得、又は同じであり得、特に、別々の実際のケースに応じて設定し得る。例えば、端末が第３の測定時間パラメータの時間規定に基づいて周波数間セル測定を行うとみなされ、第４の測定時間パラメータの時間規定に基づいた周波数間セル測定と比較して、電気消費を節減することが可能である。したがって、第１の期間がより長い場合、端末は電力節減がより大きく、第２の期間がより長い場合、測定イベントを満たす周波数間セルを端末が判定する確率はより高く、よって、期間の長さは種々の要求に応じて具体的に設定し得る。
【０１４８】
本実施例では、周波数間セル測定の目的は、２つの期間を設定するやり方で達成され、当然、複数の期間、例えば、３つを設定し得、相応に、複数の測定時間パラメータが相応に設定され、更に、本発明に基づいて当業者によって拡張される技術的解決策も、本発明の保護範囲内に収まる。
【０１４９】
本実施例では、端末は、別々の期間内の周波数間セル測定を、別々の測定時間パラメータの時間規定に基づいて行い、別々の測定時間パラメータは異なる実際の測定時間を規定し、よって、端末は、常に、一タイプの測定時間パラメータに基づいて周波数間セル測定を行う訳でないので、端末の測定のための電気消費を削減し、それにより、端末の電力消費を削減し、同時に、端末は、常に、一タイプの測定時間パラメータに基づいて周波数間セル測定を行う訳でないので、特定の時間内に測定を満たす周波数間セルを端末が判定する確率を保証する。
【０１５０】
図７は、本発明の実施例７による、周波数間セル測定のための方法のフローチャートであり、方法は以下を含み得る。
【０１５１】
工程７０１  端末は、ネットワーク側装置によって送出された周波数間バンドについての情報を収容する測定コマンドを受け取る。
【０１５２】
工程７０２  周波数間セル測定を、予め設定された第３の測定時間パラメータに基づいて、第１の期間内に行う。
【０１５３】
工程７０３  周波数間セル測定を第２の期間内において停止し、第１の期間及び第２の期間は交互に連続時間を形成する。
【０１５４】
本実施例と方法の実施例６との間の相違点は、第２の期間内に、端末が周波数間セル測定を停止し得る点にある。すなわち、端末は、測定ギャップ持続時間、ギャップ判定サイクル等を含む予め設定された第３の測定時間パラメータの時間規定に基づいて、周波数間セル測定を第１の期間内に行い、端末は、第１の期間が終了すると、第２の期間に入り、周波数間セル測定を停止し、端末は、第２の期間が終了すると、再び第１の期間に入って、周波数間セル測定を、予め設定された第３の測定時間パラメータの時間規定に基づいて行うことを続ける。すなわち、第１の期間及び第２の期間は交互に連続時間を形成し、交互にくる第１の期間及び第２の期間により、端末は、期間内に測定を行わず、よって、端末の測定のための電気消費を削減し、端末の電力消費を低減し、特定の時間内の測定を満たす周波数間セルを端末が判定する確率を保証し得る。
【０１５５】
第１の期間及び第２の期間は実際のケース（例えば、端末の特有の要件、又は測定された周波数間セルの要件）に応じて具体的に設定し得る。
【０１５６】
図８は、本発明の実施例８による、周波数間セル測定のための方法のフローチャートである。本実施例における方法は、方法の実施例６、又は方法の実施例７の考えられる実現形態の処理である。
【０１５７】
工程８０１  端末は、ネットワーク側装置によって送出された周波数間バンドについての情報を収容する測定コマンドを受け取る。
【０１５８】
工程８０２  第１のタイマを起動させ、周波数間セル信号測定を、予め設定された第３の測定時間パラメータに基づいて行う。
【０１５９】
第１のタイマは第１の期間を提供するよう構成される。特に、第１のタイマの持続時間を設定することにより、第１の期間は、第１のタイマが開始した時点から、持続時間が終了するにつれて第１のタイマが停止する時点までであり得る。端末はまず、測定コマンドを受け取った後、周波数間セル測定を、予め設定された第３の測定時間パラメータに規定された時間に基づいて行い、同時に、第１のタイマを起動し得る。
【０１６０】
工程８０３  第１のタイマが満了すると、第２のタイマを起動させ、予め設定された第４の測定時間パラメータに基づいて周波数間セル測定を行い、又は測定を停止する。
【０１６１】
工程８０４  第２のタイマが満了したと判定された後、工程８０２に戻る。
【０１６２】
第２のタイマは第２の期間を提供する。特に、第２のタイマの持続時間を設定することにより、第２の期間は、第２のタイマが開始した時点から、持続時間が終了するにつれて第２のタイマが停止する時点までであり得る。
【０１６３】
第１のタイマ及び第２のタイマについて設定された持続時間パラメータは測定コマンドにおいて収容し得、更に、端末によって予め構成し得る。
【０１６４】
端末は、測定コマンドを受信した後、まず、測定識別子が測定コマンドに収容されるか否かを判定し、肯定の場合、工程８０２乃至工程８０４における動作を行い得る。
【０１６５】
本実施例では、あるいは、第３の測定時間パラメータにおける第３のギャップ持続時間は第４の測定時間パラメータにおける第４のギャップ持続時間よりも長く、かつ／あるいは、第３のギャップ反復サイクルは第４のギャップ反復サイクルよりも短く、かつ／あるいは、第３の最小利用可能測定時間は第４の最小利用可能測定時間よりも長い。端末はまず、測定イベントを満たす周波数間セルをよりすばやく判定することを可能にする第３の測定時間パラメータに基づいて、周波数間測定を行い得、端末が周波数間セル測定を行う時間長を第３の測定時間パラメータに基づいて設定し、第１の期間が終了すると、周波数間セル測定を、予め設定された第４の測定時間パラメータに基づいて行い、又は測定を停止して、端末の電気消費をある程度まで削除し、端末の電力消費を低減し得る。
【０１６６】
図９は、本発明の実施例９による、周波数間セル測定のための方法のフローチャートであり、方法は以下を含み得る。
【０１６７】
工程９０１  端末は、ネットワーク側装置によって送出された周波数間バンドについての情報を収容する測定コマンドを受け取る。
【０１６８】
工程９０２  第１のタイマ及び第３のタイマを同時に起動させて、周波数間セル信号測定を、予め設定された第３の測定時間パラメータに基づいて行う。
【０１６９】
工程９０３  第１のタイマが満了すると、予め設定された第４の測定時間パラメータに基づいて周波数間セル信号測定を行い、又は測定を停止する。
【０１７０】
工程９０４  第３のタイマが満了したと判定し、工程９０２に戻る。
【０１７１】
本実施例では、第１の期間及び第２の期間が２つのタイマによって提供される。
【０１７２】
第１のタイマの持続時間は、第３のタイマの持続時間よりも小さい。すなわち、第１の期間は、第１のタイマが開始する時点から、持続時間が終了するにつれ、第１のタイマが停止する時点までである。第２の期間は、第１のタイマが停止する時点から、設定された持続時間が終了するにつれ、第３のタイマが停止する時点までである。
【０１７３】
端末は、測定コマンドを受信した後、まず、測定識別子が測定コマンドに収容されているか否かを判定し、肯定の場合、工程９０２乃至工程９０４における動作を行い得る。
【０１７４】
本実施例では、あるいは、第３の測定時間パラメータにおける第３のギャップ持続時間は第４の測定時間パラメータにおける第４のギャップ持続時間よりも長く、かつ／あるいは、第３のギャップ反復サイクルは第４のギャップ反復サイクルよりも短く、かつ／あるいは、第３の最小利用可能測定時間は第４の最小利用可能測定時間よりも長い。端末はまず、測定イベントを満たす周波数間セルをよりすばやく判定することを可能にする第３の測定時間パラメータに基づいて、周波数間測定を行い、第３の測定時間パラメータに基づいて、端末が周波数間セル測定を行う時間長を設定し、第１の期間が終了すると、周波数間セル測定を、予め設定された第４の測定時間パラメータに基づいて行い、又は測定を停止して、端末の電気消費をある程度まで削除し、端末の電力消費を低減し得る。
【０１７５】
上記方法の実施例では、同じ又は同様な工程の動作同士を参照し得、よって、いくつかの実施例における対応する記載は比較的単純である。
【０１７６】
図１０は、本発明の実施例１０による、周波数間セル測定のための方法のフローチャートであり、方法は以下を含み得る。
【０１７７】
工程１００１  端末は、ネットワーク側装置によって送出された周波数間バンドについての情報を収容する測定コマンドを受け取る。
【０１７８】
工程１００２  測定時間パラメータと、周波数間バンドについての情報との間の予め保存されたマッピングに応じて、周波数間バンドについての情報に対応する目標測定時間パラメータをサーチする。
【０１７９】
ネットワーク側から送出された測定コマンドが更に、測定識別子を収容していることがあり得、よって、測定コマンドを受け取った後、まず、測定コマンドが測定識別子を収容しているか否かを判定し、肯定の場合、工程１００２の動作を行い、否定の場合、周波数間セル測定を汎用測定時間パラメータに基づいて直接行い得る。
【０１８０】
端末は、複数の別々の周波数間バンドにおけるセルの測定を行い得るので、本実施例では、周波数間バンドについての各情報は、別々の測定時間パラメータに対応し得る。すなわち、本実施例では、端末は、別々の周波数間バンドにおけるセルの並列測定を、別々の測定時間パラメータに基づいて行い得る。したがって、端末は、まず、機能識別子をネットワーク側装置に送出し得、ネットワーク側装置は、端末が別々の測定時間パラメータに基づいて別々の周波数間バンドにおけるセルを並列に測定する機能を有すると、機能識別子を受け取った後に判定し、測定識別子を収容する測定コマンドを端末に送出し得る。
【０１８１】
工程１００３  周波数間セル測定を、目標測定時間パラメータに基づいて行う。
【０１８２】
周波数間セル測定を行ううえで、まず、周波数間バンドにおけるセルを判定するためにサーチを行い、次いで、周波数間セルの信号が測定イベントを満たすか否かを判定するために周波数間セル信号測定を行う。実用的な適用分野では、別々のバンドにおける周波数間セルの場合、測定要求が異なるので、一部のバンドにおける周波数間セルを見つけ、又は一部のバンドの信号が測定イベントを満たしていると判定するために必要な時間は短い一方、一部のバンドの周波数間セルを見つけ、又は、一部のバンドの信号が測定イベントを満たしていると判定するために必要な時間は長い。汎用測定時間パラメータは従来技術において採用されており、その結果、周波数間セル測定では、測定イベントを満たす周波数間セルはすばやく測定することが可能でなく、又は測定のための電気消費が浪費される。
【０１８３】
したがって、本発明では、測定時間パラメータが周波数間バンドについての種々の情報に応じて予め設定され、周波数間バンドについての情報と、測定パラメータの種々の識別子との間のマッピングが保存される。一部の周波数間バンドの場合、周波数間バンドにおけるセルをよりすばやく測定する必要がある場合、測定時間パラメータにおけるギャップ持続時間を適切に延長し、ギャップ反復サイクルを短縮し、最小利用可能測定時間を増加して、測定イベントを満たす周波数間セルをよりすばやく測定し得る。
【０１８４】
周波数間バンドについての特定の情報の場合、測定イベントを満たす周波数間セルをすばやく測定しなくてよい場合、測定時間パラメータにおけるギャップ持続時間を短縮し、ギャップ反復サイクルを延長し、最小利用可能測定時間を短縮して、端末の電力消費の節減の目的を達成し得る。
【０１８５】
周波数間セル測定を目標測定時間パラメータに基づいて行う工程は特に、
受信周波数が周波数間バンドに調節された後、周波数間バンドに配置された周波数間セルを判定するためにサーチを行う工程と、
周波数間セル測定を目標測定時間パラメータの時間規定に基づいて行う工程と
を含む。
【０１８６】
本実施例では、端末は、ネットワーク側装置によって送出された周波数間バンドについての情報を収容する測定チャネルを受け取った後、まず、周波数間バンドについての情報に対応する目標測定時間パラメータを、測定時間パラメータと、周波数間バンドについての情報との間の予め保存されたマッピングに応じてサーチし、周波数間セル測定を目標測定時間パラメータに基づいて行う。種々の測定時間パラメータに基づいた周波数間バンドについての異なる情報に応じて、周波数間セル測定を行って、測定イベントを満たすセルをよりすばやく判定し、同時に、更に、端末の電力消費を節減し、端末の性能を向上させる。
【０１８７】
図１１は、本発明の実施例１１による、周波数間セル測定のための方法のフローチャートであり、方法は以下を含み得る。
【０１８８】
工程１１０１  端末は、ネットワーク側装置によって送出された周波数間バンドについての情報及びその対応する目標測定時間パラメータを収容する測定コマンドを受け取り、種々の測定時間パラメータと、周波数間バンドについての種々の情報との間の予め保存されたマッピングに応じて周波数間バンドについての情報に対応する目標測定時間パラメータをネットワーク側装置が求めた後に測定コマンドが送出される。
【０１８９】
工程１１０２  周波数間セル測定を、目標測定時間パラメータに基づいて行う。
【０１９０】
端末は、測定コマンドに収容された目標測定時間パラメータに基づいて周波数間セル測定を、測定コマンドを受け取った後に行い得る。
【０１９１】
工程１１０１を行う前に、端末は更に、機能識別子をネットワーク側装置に送出し得、ネットワーク側装置は、種々の測定時間パラメータに基づいて別々の周波数間バンドにおけるセルを並列に測定することができると、機能識別子を受け取った後に判定し得る。したがって、ネットワーク側装置は、周波数間バンドについての情報に対応する測定時間パラメータを、測定時間パラメータと、周波数間バンドについての情報との間の予め保存されたマッピングに応じて、測定コマンドを送出する場合にまずサーチし、次いで、測定コマンドを送出し、端末は次いで、周波数間セル測定を目標測定時間パラメータに基づいて行って、測定イベントを満たすセルをよりすばやく判定し、同時に更に、端末の電力消費を節減し、端末の性能を向上させ得る。
【０１９２】
図１２は、本発明の実施例１による、周波数間セル測定のための装置の概略構造図である。
【０１９３】
受け取りモジュール１２０１は、ネットワーク側装置によって送出された周波数間バンドについての情報を収容する測定コマンドを受け取るよう構成される。
【０１９４】
本実施例における装置は特に、端末において適用し得、測定コマンドは、周波数間バンドについての情報（例えば、測定する対象のセルの周波数）を含み、端末は、バンドに配置された周波数間セルを、周波数間バンドについての情報に応じて判定し、測定を行い得る。
【０１９５】
第１の検出モジュール１２０２は、現在の位置の特定の範囲内に候補セルが存在しているか否かを検出するよう構成される。
【０１９６】
現在の位置は、サービング・セル内の装置を含む端末、又は装置の位置を表し得、候補セルは、端末のサービング・セルと区別される、現在測定する必要があるバンドにおける周波数間セルを含み得る。
【０１９７】
第１のセル測定モジュール１２０３は、周波数間セル信号測定を、予め設定された第１の測定時間パラメータに基づいて行うよう構成される。
【０１９８】
測定時間パラメータは、ギャップ持続時間（すなわち、測定の時間それぞれにおける利用可能時間）、ギャップ反復サイクル（すなわち、ギャップ間の間隔時間）、及び、最小利用可能測定時間を含み得、特定時間範囲内の実際の測定のための時間の和は、周波数間セル測定が特定の要求を満たすことができるように、特定の時間内に端末が測定を行う実際の時間を制限するような、最小利用可能測定時間よりも小さいものでない。例えば、ギャップ持続時間は６ｍｓ（ミリ秒）であり、ギャップ反復サイクルは８０ｍｓであり、４８０ｍｓ内の最小利用可能時間は３０ｍｓである。すなわち、端末は８０ｍｓ毎に１回、信号測定を行い得、測定の各回は６ｍｓを要し、最小利用可能時間は、端末が、少なくとも、測定を（３０ｍｓ／６ｍｓ＝）５回、各４８０ｍｓ内に行う旨を規定する。
【０１９９】
第２のセル測定モジュール１２０４は、周波数間セル信号測定を、予め設定された第２の測定時間パラメータに基づいて行うよう構成される。
【０２００】
第１の測定時間パラメータは、第１のギャップ持続時間、第１のギャップ反復サイクル、及び第１の最小利用可能測定時間を含み、第２の測定時間パラメータは第２のギャップ持続時間、第２のギャップ反復サイクル、及び第２の最小利用可能測定時間を含み、第１のギャップ持続時間は第２のギャップ持続時間よりも長く、かつ／又は第２のギャップ反復サイクルは第２のギャップ反復サイクルよりも短く、かつ／又は第１の最小利用可能測定時間は第２の最小利用可能測定時間よりも長い。すなわち、第２の測定時間パラメータの周波数間セル信号測定と比較して、特定の期間内の周波数間セル測定の実際の時間は、第１の測定時間パラメータの周波数間セル信号測定においてより長く、よって、測定要件を満たす周波数間セルをよりすばやく選択することが可能である。
【０２０１】
実施例では、第１の測定時間パラメータ及び／又は第２の測定時間パラメータは、測定コマンドに収容し得る。したがって、装置は、更に、採用される対象の測定時間パラメータの識別子及び／又は測定時間パラメータの適用時点をネットワーク側装置にフィードバックするよう構成された第１のフィードバック・モジュールを含み得る。
【０２０２】
別の実施例では、装置は更に、第１の測定時間パラメータ及び／又は第２の測定時間パラメータを保存するよう構成された保存モジュールを含み得る。したがって、第１の測定時間パラメータ及び／又は第２の測定時間パラメータは更に、ネットワーク側装置、及び装置の保存モジュールそれぞれに保存し得、装置は更に、採用される対象の測定時間パラメータの識別子、及び／又は測定時間パラメータの適用時点をネットワーク側装置にフィードバックするよう構成された第１のフィードバック・モジュールを更に含み得る。
【０２０３】
更に別の実施例では、第１の測定時間パラメータ及び／又は第２の測定時間パラメータは更に、装置の保存モジュールのみに保存し得る。したがって、あるいは、装置は更に、現在の測定情報をネットワーク側装置にフィードバックするよう構成された第２のフィードバック・モジュールを更に含み得、測定情報は、第１の測定時間パラメータ及び／又は第２の測定時間パラメータを含む。
【０２０４】
更に、装置は、測定識別子が測定コマンドに収容されているか否かを判定し、肯定の場合、第１の検出モジュールを起動させるようトリガするよう構成された第２の判定モジュールを更に含み得る。
【０２０５】
本実施例では、受け取りモジュールは、周波数間セル信号測定を第１の測定時間パラメータに基づいて、候補セルがその位置の周辺に存在していると第１の検出モジュールが検出した場合に、ネットワーク側装置の測定コマンドを受け取った後に行って、測定イベントを満たす周波数間セルをよりすばやく判定し、候補セルが端末の周辺に存在していない場合、第２の測定時間パラメータに基づいて周波数間セル信号測定を行って、測定のための時間を削減し、端末の電力消費を低減する。候補セルが現在の位置の周辺に存在していない場合、これは、端末が、長距離だけ、周波数間セル全てと離れていることを示し、よって、信号測定を、電力節減が大きい第２の測定時間パラメータに基づいて行い、測定のための電力消費を低減し、それにより、装置の性能を向上させる。
【０２０６】
図１３は、本発明の実施例２による、周波数間セル測定のための装置の概略構造図である。装置は、受け取りモジュール１２０１、第１の検出モジュール１２０２、第１の測定モジュール１２０３、及び第２の測定モジュール１２０４を含み得る。モジュールの具体的な機能については、装置の実施例１を参照し得る。
【０２０７】
第１の検出モジュール１２０２は特に以下を含み得る。
【０２０８】
調節モジュール１２１２は、受信周波数を周波数間バンドに調節する。
【０２０９】
信号測定モジュール１２２２は、周波数間バンドの共通チャネルの信号の品質又は強度を測定するよう構成される。
【０２１０】
第１の判定モジュール１２２３は、周波数間バンドの共通チャネルの信号の品質又は強度が第１の予め設定された値よりも高いか否かを判定し、肯定の場合、第１の測定モジュール１２０３をトリガし、否定の場合、第２の測定モジュール１２０４をトリガするよう構成される。
【０２１１】
第１の予め設定された値は測定コマンドに収容されていることがあり得、当然、更に、装置の保存モジュールに予め設定され、記憶されていることがあり得、第１の判定モジュールはまず、測定コマンド又は保存モジュールから第１の予め設定された値を判定し、次いで判定を行う。
【０２１２】
第１の測定モジュール１２０３は特に以下を含み得る。
【０２１３】
第１のサーチ・モジュール１２１３は、受信周波数が周波数間バンドに調節された後、周波数間バンドに配置された周波数間セルを判定するためにサーチを行うよう構成される。
【０２１４】
第１の測定サブモジュール１２２３は、周波数間セル信号測定を、予め設定された第１の測定時間パラメータに基づいて行うよう構成される。
【０２１５】
第２の検出モジュール１２０４は特に以下を含み得る。
【０２１６】
第２のサーチ・モジュール１２１４は、受信周波数が周波数間バンドに調節された後、周波数間バンドに配置された周波数間セルを判定するためにサーチを行うよう構成される。
【０２１７】
第２の測定サブモジュール１２２４は、周波数間セル信号測定を、予め設定された第２の測定時間パラメータに基づいて行うよう構成される。
【０２１８】
第１の測定時間パラメータにおける第１のギャップ持続時間は第２の測定時間パラメータにおける第２のギャップ持続時間よりも長く、かつ／あるいは、第１のギャップ反復サイクルは第２のギャップ反復サイクルよりも短く、かつ／あるいは、第１の最小利用可能測定時間は第２の最小利用可能測定時間よりも長い。すなわち、第２の測定時間パラメータの周波数間セル信号測定と比較して、第１の測定時間パラメータの周波数間セル信号測定は、周波数間セル測定に、より長い時間を提供し、よって、測定イベント要件を満たす周波数間セルをよりすばやく選択する。
【０２１９】
第１の測定時間パラメータ及び／又は第２の測定時間パラメータは、測定コマンドに収容されていることがあり得、装置は更に以下を含み得る。
【０２２０】
第１のフィードバック・モジュールは、測定時間パラメータの現在採用されている識別子及び／又は測定時間パラメータの適用時点をネットワーク側装置にフィードバックするよう構成される。
【０２２１】
第１の測定時間パラメータ及び／又は第２の測定時間パラメータが予め記憶されている場合、装置は更に以下を含み得る。
【０２２２】
第２の判定モジュールは、測定識別子が測定コマンドに収容されているか否かを判定し、肯定の場合、起動させるよう第１の検出モジュールをトリガするよう構成される。
【０２２３】
第２のフィードバック・モジュールは、現在の測定情報をネットワーク側装置にフィードバックするよう構成され、測定情報は、第１の測定時間パラメータ及び／又は第２の測定時間パラメータを含む。
【０２２４】
更に、第１のサーチ・モジュール１２１３が、周波数間セルを判定するためのサーチを行う場合、特定のサーチ時間が必要である。したがって、第１のサーチ・モジュール１２１３は、サーチ時間が予め設定された時間を超えている旨を監視し、かつ、第１のサーチ・モジュール１２１３が、予め設定された時間内に周波数間バンド上でセルを見つけることができなかった場合、現在採用されている測定時間パラメータを切り換え、起動させるよう第２の測定モジュールをトリガするよう更に構成し得、よって、装置は、第２の測定時間パラメータの時間規定に基づいて測定を続ける。
【０２２５】
本実施例では、第１の検出モジュールは、周波数間バンドの共通チャネルの信号の品質又は強度が第１の予め設定された値よりも高いか否かを測定することにより、セルが端末の特定の範囲内に存在しているかを判定する場合、肯定の場合、周波数間セル信号測定を、第１の測定時間パラメータに規定された時間に基づいて行うよう第１の測定モジュールをトリガし、否定の場合、周波数間セル信号測定を、第２の測定時間パラメータに規定された時間に基づいて行うよう第２の測定モジュールをトリガして、測定イベントを満たす周波数間セルを測定し、判定し、装置の測定のための時間を更に削減し、それにより、装置の電力消費を削減し、装置の性能を向上させる。
【０２２６】
更に、別の実施例では、第１の検出モジュール１２０３は、候補セルが、現在の位置と特定の距離離れた所に存在しているか否かを衛星測位システムによって判定し、肯定の場合、起動させるよう第１の測定モジュールをトリガし、否定の場合、起動させるよう第２の測定モジュールをトリガするよう特に構成し得る。
【０２２７】
図１４は、本発明の実施例３による、周波数間セル測定のための装置の概略構造図であり、装置は以下を含み得る。
【０２２８】
受け取りモジュール１４０１は、ネットワーク側装置によって送出された周波数間バンドについての情報を収容する測定コマンドを受け取るよう構成される。
【０２２９】
第２の検出モジュール１４０２は、サービング・セルの信号の品質又は強度が第２の予め設定された値よりも低いか否かを検出するよう構成される。
【０２３０】
サービング・セルは例えば、端末が現在配置されているマクロセルを表し得、端末は、サービング・セルの信号にリッスンし、サ―ビング・セルの信号の品質又は強度を検出し得る。
【０２３１】
第２の予め設定された値は測定コマンドに収容し得、当然、更に、装置の保存モジュールに予め設定し、記憶し得、第２の検出モジュールはまず、測定コマンド又は保存モジュールから第１の予め設定された値を判定し、次いで判定を行う。
【０２３２】
サービング・セルの信号の品質又は強度が第２の予め設定された値よりも低い場合、これは、端末の正常な通信を保証するために端末をできる限り早く、他のセルに切り換える必要があることを示す。この場合、端末は、サービング・セルの信号を好適に受信するにはサービング・セルから遠すぎることがあり得るので、測定イベントを満たす周波数間セルを判定するために、周波数間セル測定をできるだけ早く行う必要がある。
【０２３３】
サービング・セルの信号の品質又は強度が第２の予め設定された値以上である場合、これは、サービング・セルが更に、端末に対応し続け得、端末がサービング・セルの信号を正常に受信し得ることを示し、よって、端末は、できる限り早く、周波数間セルに切り換えなければならない訳でない。
【０２３４】
当然、考えられる別のケースでは、異種ネットワーク展開において、小規模セルがマクロセル内に設定される例を採ることにより、小規模セルは、マクロセルのカバレッジの縁部にあり得る。サービング・セルの信号の品質又は強度が第２の予め設定された値よりも低いと監視された場合、端末がサービング・セルの縁部にあるとみなされ、よって、小規模セルからの距離は短くなり、小規模セルが端末の周辺に存在していると判定し得る。端末のサービング・セルの信号の品質又は強度が第２の予め設定された値以上である場合、周波数間セルが端末の周辺に存在していないとみなされ得、小規模セルからの距離は大きくなる。
【０２３５】
第１の測定モジュール１４０３は、第２の検出モジュールの検出結果が肯定である場合、周波数間セル測定を、予め設定された第１の測定時間パラメータに基づいて行うよう構成される。
【０２３６】
第１の検出モジュール１４０３は特に以下を含み得る。
【０２３７】
第１のサーチ・モジュール１４１３は、受信周波数が周波数間バンドに調節された後、サーチを行い、周波数間バンドに配置された周波数間セルを判定するよう構成される。
【０２３８】
第１の測定サブモジュール１４２３は、周波数間セル信号測定を、予め設定された第１の測定時間パラメータに基づいて行うよう構成される。
【０２３９】
第２の測定モジュール１４０４は、第２の検出モジュールの検出結果が否定である場合、周波数間セル測定を、予め設定された第２の測定時間パラメータに基づいて行うよう構成される。
【０２４０】
第１の測定時間パラメータは、第１のギャップ持続時間、第１のギャップ反復サイクル、及び第１の最小利用可能測定時間を含み、第２の測定時間パラメータは第２のギャップ持続時間、第２のギャップ反復サイクル、及び第２の最小利用可能測定時間を含み、第１のギャップ持続時間は第２のギャップ持続時間よりも長く、かつ／又は第２のギャップ反復サイクルは第２のギャップ反復サイクルよりも短く、かつ／又は第１の最小利用可能測定時間は第２の最小利用可能測定時間よりも長い。
【０２４１】
第２の測定モジュール１４０４は特に以下を含み得る。
【０２４２】
第２のサーチ・モジュール１４１４は、受信周波数が周波数間バンドに調節された後、周波数間バンドに配置された周波数間セルを判定するためにサーチを行うよう構成される。
【０２４３】
第２の測定サブモジュール１４２４は、周波数間セル信号測定を、予め設定された第２の測定時間パラメータに基づいて行うよう構成される。
【０２４４】
実施例では、第１の測定時間パラメータ及び／又は第２の測定時間パラメータは、測定コマンドに収容し得る。したがって、装置は、更に、採用される対象の測定時間パラメータの識別子及び／又は測定時間パラメータの適用時点をネットワーク側装置にフィードバックするよう構成された第１のフィードバック・モジュールを含み得る。
【０２４５】
別の実施例では、装置は更に、第１の測定時間パラメータ及び／又は第２の測定時間パラメータを保存するよう構成された保存モジュールを含み得る。したがって、第１の測定時間パラメータ及び／又は第２の測定時間パラメータは更に、ネットワーク側装置、及び装置の保存モジュールそれぞれに保存し得、よって、装置は更に、採用される対象の測定時間パラメータの識別子、及び／又は測定時間パラメータの適用時点をネットワーク側装置にフィードバックするよう構成された第１のフィードバック・モジュールを含み得る。
【０２４６】
更に別の実施例では、第１の測定時間パラメータ及び／又は第２の測定時間パラメータは更に、装置の保存モジュールのみに保存し得る。したがって、あるいは、装置は更に、現在の測定情報をネットワーク側装置にフィードバックするよう構成された第２のフィードバック・モジュールを含み得、測定情報は、第１の測定時間パラメータ及び／又は第２の測定時間パラメータを含む。
【０２４７】
更に、装置は、測定識別子が測定コマンドに収容されているか否かを判定し、肯定の場合、起動させるよう第１の検出モジュールをトリガするよう構成された第２の判定モジュールを更に含み得る。
【０２４８】
本実施例では、第１の検出モジュールは、サービング・セルの信号の品質又は強度が第２の予め設定された値よりも低いか否かを検出し、肯定の場合、周波数間セル信号測定を、第１の測定時間パラメータに規定された時間に基づいて行うよう第１の測定モジュールをトリガし、否定の場合、周波数間セル信号測定を、第２の測定時間パラメータに規定された時間に基づいて行うよう第２の測定モジュールをトリガして、測定イベントを満たす周波数間セルをできるだけ早く判定して、端末の測定のための時間を削減し、それにより、装置の電力消費を削減し、装置の性能を向上させる。
【０２４９】
図１５は、本発明の実施例４による、周波数間セル測定のための装置の概略構造図であり、装置は以下を含み得る。
【０２５０】
受け取りモジュール１５０１は、ネットワーク側装置によって送出された周波数間バンドについての情報を収容する測定コマンドを受け取るよう構成される。
【０２５１】
第３の測定モジュール１５０２は、周波数間セル測定を、予め設定された第３の測定時間パラメータに基づいて第１の期間内に行うよう構成される。
【０２５２】
第４の測定モジュール１５０３は、周波数間セル測定を、予め設定された第４の測定時間パラメータに基づいて、第２の期間内に行い、又は周波数間セル測定を停止するよう構成され、第１の期間及び第２の期間が交互に連続時間を形成し、第３の測定時間パラメータは第４の測定時間パラメータと異なる。
【０２５３】
第１の期間及び第２の期間は、ネットワーク側装置によって供給し得る。すなわち、ネットワーク側装置は、測定コマンドを送出した後、第１の期間をカウントし始め、第１の期間が終了すると、第１の調節トリガ情報を送出し、同時に、第２の期間をカウントし始め、第２の期間が終了すると、第２の調節トリガ情報を送出し、同時に、第１の期間のカウントを再始動する。したがって、第３の測定モジュールは特に、測定コマンド又は第２の調節トリガ情報を受け取った後、周波数間セル測定を第１の測定時間パラメータに基づいて行い得る。第４の測定モジュールは特に、第１の調節トリガ情報を受け取った後、周波数間セル測定を第２の測定時間パラメータに基づいて行い得る。
【０２５４】
当然、第１の期間及び第２の期間は端末によって制御し得、期間の特定の持続時間は予め、端末によって割り当て得、更に、ネットワーク側装置の測定コマンドに収容し得る。
【０２５５】
第１の期間及び第２の期間は連続時間を交互に形成し、交互にくる第１の期間及び第２の期間により、周波数間セル測定は種々の測定時間パラメータにおいて規定された時間に基づいて行い得る。
【０２５６】
第３の測定時間パラメータ及び第４の測定時間パラメータは異なる。測定時間パラメータの異なる時間規定に基づいて、周波数間セル測定が行われた場合、測定の電気消費は異なり、よって、電力消費も異なる。
【０２５７】
装置は更に、測定コマンドが測定識別子を収容しているか否かを判定し、肯定の場合、起動させるよう第３の測定モジュール又は第４の測定モジュールをトリガするよう構成された識別子判定モジュールを含み得る。
【０２５８】
本実施例では、第３の測定モジュール及び第４の測定モジュールは、別々の測定時間パラメータの時間規定に基づいて、周波数間セル測定を行い、別々の測定時間パラメータは異なる実際の測定時間を規定するので、周波数間セル測定は常に、一タイプの測定時間パラメータに基づいて行われる訳でない。したがって、装置の測定のための電気消費は削減し得、それにより、装置の電力消費を低減し、装置の性能を向上させ、測定イベントを満たす周波数間セルが特定の時間内に判定される確率を保証し、装置は、端末において適用されている場合、端末の性能を向上させることができ、端末の性能を向上させることができる。
【０２５９】
図１６は、本発明の実施例５による、周波数間セル測定のための装置の概略構造図である。装置は、受け取りモジュール１５０１、第３の測定モジュール１５０２、及び第４の測定モジュール１５０３を含み得る。モジュールの機能の場合、装置の実施例４を参照し得る。装置の実施例４との差は、本実施例における装置が更に、第１のタイミング・モジュール１５０４及び第２のタイミング・モジュール１５０５を含むという点にある。
【０２６０】
第１のタイミング・モジュール１５０４は、第１の期間を提供し、第１の期間が終了すると、起動させるよう第４の測定モジュール１５０３及び第２のタイミング・モジュール１５０５をトリガするよう構成される。
【０２６１】
第２のタイミング・モジュール１５０５は、第２の期間を提供し、第２の期間が終了すると、起動させるよう第３の測定モジュール１５０２及び第１のタイミング・モジュール１５０４をトリガするよう構成される。
【０２６２】
実用的な適用分野では、第１のタイミング・モジュール及び第２のタイミング・モジュールは具体的にはタイマであり得る。タイマについて設定された持続時間パラメータは測定コマンドにおいて収容し得、更に、装置によって予め構成し得る。
【０２６３】
第１のタイミング・モジュール及び第２のタイミング・モジュールは、交互にくる第１の期間及び第２の期間を実現し、連続時間を形成し始める。
【０２６４】
装置は更に、測定コマンドが測定識別子を収容しているか否かを判定し、肯定の場合、起動させるよう第３の測定モジュール及び第１のタイミング・モジュールをトリガするよう構成された識別子判定モジュールを含み得る。第１のタイミング・モジュールはカウントし始め、第３の測定モジュールは、周波数間セル測定を、第３の測定時間パラメータに基づいて第１のタイミング・モジュールのカウンティング期間内に行う。
【０２６５】
本実施例では、あるいは、第３の測定時間パラメータにおける第３のギャップ持続時間は第４の測定時間パラメータにおける第４のギャップ持続時間よりも長く、かつ／あるいは、第３のギャップ反復サイクルは第４のギャップ反復サイクルよりも短く、かつ／あるいは、第３の最小利用可能測定時間は第４の最小利用可能測定時間よりも長い。すなわち、端末はまず、測定イベントを満たす周波数間セルをよりすばやく判定することを可能にする第３の測定時間パラメータに基づいて、周波数間測定を行い、端末が第３の測定時間パラメータに基づいて周波数間セル測定を行う時間長を設定し、第１の期間が終了すると、周波数間セル測定を、予め設定された第４の測定時間パラメータに基づいて行い、又は測定を停止して、測定のための電気消費をある程度まで削減し、電力消費を低減し得る。
【０２６６】
図１７は、本発明の実施例６による、周波数間セル測定のための装置の概略構造図である。装置は、受け取りモジュール１５０１、第３の測定モジュール１５０２、及び第４の測定モジュール１５０３を含み得る。モジュールの機能については、装置の実施例４を参照し得る。装置の実施例４との差は、本実施例における装置が更に、第１のタイミング・モジュール１５０４及び第２のタイミング・モジュール１５０６を含むという点にある。
【０２６７】
第１のタイミング・モジュール１５０４は、第１の期間を提供し、第１の期間が終了すると、起動させるよう第４の測定モジュール１５０３をトリガするよう構成される。
【０２６８】
第３のタイミング・モジュール１５０６は、第１の期間及び第２の期間を提供し、第２の期間が終了すると、起動させるよう第３の測定モジュール１５０２、及第１のタイミング・モジュール１５０４、及び第３のタイミング・モジュールをトリガするよう構成される。
【０２６９】
実用的な適用分野では、第１のタイミング・モジュール及び第３のタイミング・モジュールは具体的にはタイマであり得、タイマについて設定される持続時間パラメータは、測定コマンドに収容されていることがあり得、更に、装置によって再構成され得る。
【０２７０】
第１のタイミング・モジュール及び第３のタイミング・モジュールは同時に起動し得る。第１のタイミング・モジュール及び第３のタイミング・モジュールは第１の受け取りモジュールのトリガ命令を受信した後に起動し得、更に、第１の受け取りモジュールが、ネットワーク側装置によって送出された測定コマンドを受け取ったと判定された後、起動して、交互にくる第１の期間及び第２の期間を提供して、連続時間を形成し得る。
【０２７１】
装置は更に、測定コマンドが測定識別子を収容しているか否かを判定し、肯定の場合、起動させるよう第３の測定モジュール、第１のタイミング・モジュール、及び第２のタイミング・モジュールをトリガするよう構成された識別子判定モジュールを含み得る。
【０２７２】
本実施例では、あるいは、第３の測定時間パラメータにおける第３のギャップ持続時間は第４の測定時間パラメータにおける第４のギャップ持続時間よりも長く、かつ／あるいは、第３のギャップ反復サイクルは第４のギャップ反復サイクルよりも短く、かつ／あるいは、第３の最小利用可能測定時間は第４の最小利用可能測定時間よりも長い。すなわち、第３の測定モジュールはまず、測定イベントを満たす周波数間セルをよりすばやく判定することを可能にする第３の測定時間パラメータに基づいて、周波数間セル測定を行い、端末が第３の測定時間パラメータに基づいて周波数間セル測定を行う時間長を設定し、第１の期間が終了すると、周波数間セル測定を、予め設定された第４の測定時間パラメータに基づいて行い、又は測定を停止するよう第４の測定モジュールをトリガして、測定のための電気消費をある程度まで削減し、装置の電力消費を低減し得る。
【０２７３】
図１８は、本発明の実施例７による、周波数間セル測定のための装置の概略構造図であり、装置は以下を含み得る。
【０２７４】
受け取りモジュール１８０１は、ネットワーク側装置によって送出された周波数間バンドについての情報を収容する測定コマンドを受け取るよう構成される。
【０２７５】
サーチ・モジュール１８０２は、測定時間パラメータと、周波数間バンドについての情報との間の予め保存されたマッピングに応じて、周波数間バンドについての情報に対応する目標測定時間パラメータをサーチするよう構成される。
【０２７６】
セル測定モジュール１８０３は、周波数間セル測定を目標測定時間パラメータに基づいて行うよう構成される。
【０２７７】
装置は更に、以下を含み得る。
【０２７８】
第３の判定モジュール１８０４は、測定コマンドが測定識別子を収容しているか否かを判定し、肯定の場合、起動させるようサーチ・モジュール１８０２をトリガするよう構成される。
【０２７９】
装置は、まず、機能識別子をネットワーク側装置に送出するよう構成された送出モジュールを含み得、ネットワーク側装置は、端末が別々の測定時間パラメータに基づいて別々の周波数間バンドにおけるセルを並列に測定する機能を有すると、機能識別子を受け取った後に判定し、次いで、測定識別子を収容する測定コマンドを端末に送出し得る。
【０２８０】
本実施例では、ネットワーク側装置によって送出された周波数間バンドについての情報を収容する測定コマンドを受け取りモジュールが受け取った後、サーチ・モジュールはまず、周波数間バンドについての情報に対応する目標測定時間パラメータを、測定時間パラメータと、周波数間バンドについての情報との間の予め保存されたマッピングに応じてサーチし、周波数間セル測定を目標測定時間パラメータに基づいて行うようセル測定モジュールをトリガする。周波数間セル測定を、別々の測定時間パラメータに基づいた周波数間バンドについての異なる情報に応じて行って、測定イベントを満たすセルをよりすばやく判定して、同時に、電力消費を節減し、装置の性能を向上させる。
【０２８１】
図１９は、本発明の実施例８による、周波数間セル測定のための装置の概略構造図であり、装置は以下を含み得る。
【０２８２】
受け取りモジュール１９０１は、ネットワーク側装置によって送出された周波数間バンドについての情報、及びその対応する目標測定時間パラメータを収容する測定コマンドを受け取るよう構成され、測定時間パラメータと、周波数間バンドについての情報との間の予め保存されたマッピングに応じて周波数間バンドについての情報に対応する目標測定時間パラメータをネットワーク側装置が求めた後に測定コマンドが送出される。
【０２８３】
セル測定モジュール１９０２は、周波数間セル測定を目標測定時間パラメータに基づいて行うよう構成される。
【０２８４】
装置は更に、以下を含み得る。
【０２８５】
送出モジュール１９０３は、機能識別子をネットワーク側装置に送出するよう構成され、ネットワーク側装置が、機能識別子を受け取り、測定時間パラメータと、周波数間バンドについての情報との間の予め保存されたマッピングに応じて周波数間バンドについての情報に対応する目標測定時間パラメータを求めた後に、測定コマンドが特に送出される。
【０２８６】
上記実施例では、同じ又は同様なモジュールの機能同士を参照し得、よって、いくつかの実施例における対応する記載は比較的単純である。
【０２８７】
本発明の周波数間セル測定のための装置は特に、端末に一体化し得、よって、本発明は更に、周波数間セル測定のための装置を含む端末を提供する。
【０２８８】
本発明は更に、周波数間セル測定のためのシステムを提供する。図２０は、実施例による、システムの概略構造図である。システムは、以下を含み得る。
【０２８９】
ネットワーク側装置２００１は、周波数間バンドについての情報を収容する測定コマンドを端末に送出するよう構成される。
【０２９０】
実用的な適用分野では、ネットワーク側装置は具体的には、小規模基地局、ホーム基地局、中継局、及び無線ローカル・エリア・ネットワーク・アクセス・ポイントなどの機器であり得る。
【０２９１】
端末２００２は、測定コマンドを受け取った後、候補セルが現在位置の特定の範囲内に存在しているか否かを検出し、肯定の場合、周波数間セル測定を、予め設定された第１の測定時間パラメータに基づいて行い、否定の場合、周波数間セル測定を、予め設定された第２の測定時間パラメータに基づいて行うよう構成される。
【０２９２】
第１の測定時間パラメータは、第１のギャップ持続時間、第１のギャップ反復サイクル、及び第１の最小利用可能測定時間を含み、第２の測定時間パラメータは第２のギャップ持続時間、第２のギャップ反復サイクル、及び第２の最小利用可能測定時間を含み、第１のギャップ持続時間は第２のギャップ持続時間よりも長く、かつ／又は第１のギャップ反復サイクルは第２のギャップ反復サイクルよりも短く、かつ／又は第１の最小利用可能測定時間は第２の最小利用可能測定時間よりも長い。
【０２９３】
端末は現在、サ―ビング・セル２００３に配置されており、キャリア周波数がサービング・セル２００３のものと異なる周波数間セル２００４が、サービング・セル２００３において分散している。端末のサービング・セルのネットワーク・トラフィック量が高いとネットワーク側装置が監視した場合、又はネットワーク・サービスを配信するのに適した周波数間セルを選択するために、システム容量を増加させるうえで周波数間セルの影響を拡大させるために、ネットワーク側装置は、周波数間セル測定を行う旨を端末に指示し、測定コマンドを端末に送出する。
【０２９４】
端末及びネットワーク側装置によって具体的に行われる動作については以下の実施例を参照し得るので、更なる詳細はここでは説明しない。端末及びネットワーク側装置の概略構造図については、図２０を参照し得る。上記実施例とのその差は、端末及びネットワーク側装置によって実現される特定の機能が異なるという点にあるにすぎない。
【０２９５】
端末は、具体的には、実施例１又は実施例２の周波数間セル測定のための装置を含む端末であり得る。
【０２９６】
本実施例における周波数間セル測定のためのシステムにより、周波数間セル測定を実現し得、同時に、端末の測定のための電力消費が更に節減され、それにより、端末の性能を向上させる。
【０２９７】
別の実施例では、本発明は更に、周波数間セル測定のためのシステムを提供し、システムは以下を含み得る。
【０２９８】
ネットワーク側装置は、周波数間バンドについての情報を収容する測定コマンドを端末に送出するよう構成される。
【０２９９】
端末は、測定コマンドを受け取った後、サービング・セルの信号の品質又は強度が第２の予め設定された値よりも低いか否かを検出し、第２の予め設定された値は、測定コマンドに収容されており、又は端末に予め記憶されていることがあり得る。肯定の場合、周波数間セル測定を予め設定された第１の測定時間パラメータに基づいて行い、否定の場合、周波数間セル測定を予め設定された第２の測定時間パラメータに基づいて行うよう構成される。
【０３００】
第１の測定時間パラメータは、第１のギャップ持続時間、第１のギャップ反復サイクル、及び第１の最小利用可能測定時間を含み、第２の測定時間パラメータは第２のギャップ持続時間、第２のギャップ反復サイクル、及び第２の最小利用可能測定時間を含み、第１のギャップ持続時間は第２のギャップ持続時間よりも長く、かつ／又は第１のギャップ反復サイクルは第２のギャップ反復サイクルよりも短く、かつ／又は第１の最小利用可能測定時間は第２の最小利用可能測定時間よりも長い。
【０３０１】
端末は、実施例３における周波数間セル測定のための装置を含む端末であり得る。端末及びネットワーク側装置によって具体的に行われる動作については、上記実施例を参照し得るので、更なる詳細はここでは説明しない。端末及びネットワーク側装置の概略構造図については、図２０を参照し得る。上記実施例とのその差は、端末及びネットワーク側装置によって実現される特定の機能が異なるという点にある。
【０３０２】
本実施例における周波数間セル測定のためのシステムにより、周波数間セル測定を実現し得、同時に、端末の測定のための電力消費が更に節減され、それにより、端末の性能を向上させる。
【０３０３】
更に別の実施例では、本発明は更に、周波数間セル測定のためのシステムを提供し、システムは以下を含み得る。
【０３０４】
ネットワーク側装置は、周波数間バンドについての情報を収容する測定コマンドを端末に送出するよう構成される。
【０３０５】
端末は、測定コマンドを受け取った後、周波数間セル測定を、予め設定された第３の測定時間パラメータに基づいて第１の期間内に行い、周波数間セル測定を、予め設定された第４の測定時間パラメータに基づいて第２の期間内に行い、又は、周波数間セル測定を停止するよう構成され、第１の期間及び第２の期間は交互に連続時間を形成し、第３の測定時間パラメータは第４の測定時間パラメータと異なる。
【０３０６】
端末は、実施例４、実施例５、又は実施例６における周波数間セル測定のための装置を含む端末であり得る。端末及びネットワーク側装置によって具体的に行われる動作については、上記実施例を参照し得るので、更なる詳細はここでは記載しない。端末及びネットワーク側装置の概略構造図については、図２０を参照し得る。上記実施例とのその差は、端末及びネットワーク側装置によって実現される特定の機能が異なるという点にある。
【０３０７】
本実施例における周波数間セル測定のためのシステムにより、周波数間セル測定を実現し得、同時に、端末の測定のための電力消費が更に節減され、それにより、端末の性能を向上させる。
【０３０８】
更に別の実施例では、本発明は更に、周波数間セル測定のためのシステムを提供し、システムは以下を含み得る。
【０３０９】
ネットワーク側装置は、周波数間バンドについての情報を収容する測定コマンドを端末に送出するよう構成される。
【０３１０】
端末は、測定コマンドを受け取った後、測定時間パラメータと、周波数間バンドについての情報との間の予め保存されたマッピングに応じて、周波数間バンドについての情報に対応する目標測定時間パラメータをサーチするよう構成され、端末は周波数間セル測定を目標測定時間パラメータに基づいて行う。
【０３１１】
端末は、実施例７における周波数間セル測定のための装置を含む端末であり得る。端末及びネットワーク側装置によって具体的に行われる動作については、上記実施例を参照し得るので、更なる詳細はここでは記載しない。端末及びネットワーク側装置の概略構造図については、図２０を参照し得る。上記実施例とのその差は、端末及びネットワーク側装置によって実現される特定の機能が異なるという点にある。
【０３１２】
更に別の実施例では、本発明は更に、周波数間セル測定のためのシステムを提供し、システムは以下を含み得る。
【０３１３】
ネットワーク側装置は、周波数間バンドについての情報に対応する目標測定時間パラメータを、測定時間パラメータと、周波数間バンドについての情報との間の予め保存されたマッピングに応じてサーチし、周波数間バンドについての情報、及びその対応する目標測定時間パラメータを収容する測定コマンドを端末に送出するよう構成される。
【０３１４】
端末は、周波数間セル測定を目標測定時間パラメータに基づいて、測定コマンドを受け取った後に行うよう構成される。
【０３１５】
端末は具体的には、実施例８における周波数間セル測定のための装置を含む端末であり得る。端末及びネットワーク側装置によって具体的に行われる動作については、上記実施例を参照し得るので、更なる詳細はここでは記載しない。端末及びネットワーク側装置の概略構造図については、図２０を参照し得る。上記実施例とのその差は、端末及びネットワーク側装置によって実現される特定の機能が異なるという点にある。
【０３１６】
実施例は全て、漸進法を使用することにより、本発明を表す。各実施例は、他の実施例との相違点のみについて表している。実施例全ての間での同様な部分については、関連した部分を参照し得る。実施例に開示された装置は実施例に開示された方法に関し、よって、概説している。関連付けられた部分については、方法の実施例における説明を参照し得る。
【０３１７】
第１及び第２などの本明細書及び特許請求の範囲に記載の関係語は、別のエンティティ又は動作と、１つのエンティティ又は動作を差異化するためにのみ使用され、これらのエンティティ又は動作間の如何なる実際の関係又は順序をも、必要とし、又は示唆するものでない。更に、「ｉｎｃｌｕｄｅ」、「ｃｏｍｐｒｉｓｅ」の語、及びそれらの何れかの変形は、排他的でない包含関係を含むことを意図している。したがって、一連の構成要素を含むプロセス、方法、オブジェクト、又は装置に関係して、上記プロセス、方法、オブジェクト、又は装置はそうした構成要素を含むのみならず、明示していない他の構成要素も含み、又はプロセス、方法、オブジェクト、若しくは装置の固有の構成要素を含み得る。更なる限定が行われていない場合、「ａ／ａｎ  …を含む」によって限定された構成要素は、構成要素を含むプロセス、方法、製品、又は装置において存在している他の同様な構成要素を排除するものでない。
【０３１８】
開示された実施例の説明に基づいて、当業者は本発明を実現又は適用することが可能である。実施例の種々の修正が当業者に明らかであり、明細書に規定された一般原則を、本発明の趣旨又は範囲から逸脱しない限り、他の実施例において実現することが可能である。したがって、本発明は、明細書中の実施例に限定されない一方、明細書に開示された原理、及び新しい特徴と整合する最も広い範囲を包含することを意図している。
【図１】
0006039786.tif 000002
【図２】
0006039786.tif 000003
【図３】
0006039786.tif 000004
【図４】
0006039786.tif 000005
【図５】
0006039786.tif 000006
【図６】
0006039786.tif 000007
【図７】
0006039786.tif 000008
【図８】
0006039786.tif 000009
【図９】
0006039786.tif 000010
【図１０】
0006039786.tif 000011
【図１１】
0006039786.tif 000012
【図１２】
0006039786.tif 000013
【図１３】
0006039786.tif 000014
【図１４】
0006039786.tif 000015
【図１５】
0006039786.tif 000016
【図１６】
0006039786.tif 000017
【図１７】
0006039786.tif 000018
【図１８】
0006039786.tif 000019
【図１９】
0006039786.tif 000020
【図２０】
0006039786.tif 000021